(57)【特許請求の範囲】
【請求項１】
可変表示を行うとともに、有利条件の成立により遊技者にとって有利な有利状態に制御される遊技機であって、
実行される演出の種類を、予め定められた複数種類の演出のうちから選択する演出種類選択手段と、
前記演出種類選択手段により選択された種類の演出を実行する演出実行手段と、
前記演出実行手段により実行された演出の種類を記憶する手段であって、前記有利状態に制御されることに係る開始条件の成立を契機に記憶を開始するとともに、前記有利状態に制御された後に所定期間が経過するまでに再度前記有利状態に制御されたときには記憶する制御を継続し、前記有利状態に制御された後に前記所定期間が経過するまでに前記有利状態に制御されなかったことにより記憶を終了する演出種類記憶手段と、
前記演出種類記憶手段に記憶された演出の種類に、特別な組合せが含まれているか否かを判定する特別組合判定手段と、
前記特別組合判定手段により前記特別な組合せが含まれていると判定されたことを条件に、特別な演出を実行する特別演出実行手段とを備え、
前記演出種類選択手段は、前記特別な組合せを構成する種類の演出のいずれかを選択可能であるとともに、予め定められた特別条件が成立したときに、前記特別な組合せを構成する種類の演出を、該特別条件が成立していないときよりも高い割合で選択する
ことを特徴とする遊技機。
【請求項２】
前記特別条件は、遊技者にとって有利度の低い前記有利状態に制御されることによって成立する
ことを特徴とする請求項１に記載の遊技機。
【発明の詳細な説明】
【技術分野】
【０００１】
本発明は、パチンコ遊技機やスロットマシン等の遊技機に関し、特に所定の条件の下に特別な演出を実行し得る遊技機に関する。
【背景技術】
【０００２】
パチンコ遊技機は、遊技領域に打ち出された遊技球が始動入賞口に入賞したことを契機として大当たり抽選を行っており、該抽選に当選することで大当たり遊技状態に制御される。大当たり遊技状態に制御されると、大入賞口の開放が複数回繰り返して行われ、遊技球が入賞しやすい状態となるが、この大入賞口の開放回数（ラウンド）が異なる複数種類の大当たり遊技状態があるものも存在する。また、大当たりの種類として通常大当たりと、これより有利な確率変動大当たりとがあり、確率変動大当たりとなったときには、大当たり遊技状態が終了した後の遊技状態が、次の大当たり抽選確率が通常よりも高くなる確率変動状態に制御される。
【０００３】
確率変動状態に制御されると、比較的短い期間で新たな大当たりが発生することとなるが、確率変動大当たりが続けて発生していて、大当たり遊技状態→確率変動状態→大当たり遊技状態→・・・と、遊技者にとっての有利な遊技状態が続くことは、一般に連チャンと呼ばれている。また、スロットマシンにおいても、ボーナス→有利ＲＴ→ボーナス→…というように、遊技者にとっての有利な遊技状態が続く連チャンを発生させることが可能なものがある。
【０００４】
ところで、パチンコ遊技機やスロットマシンなどの遊技機においては、遊技者にとって有利な遊技状態に制御されているときの遊技者心理を盛り上げるため、有利な遊技状態に制御されていないときには実行されないような演出を行うものとしている。例えば、大当たり遊技状態で大入賞口が開放されているラウンド期間中に、それ特有の演出が行われたり、連チャンが発生しているときには、単発の大当たりでは実行されない特有の演出が行われたりする。また、有利な遊技状態に制御されることが決定されている（実際には未だ制御されていない）ことに対する遊技者の期待感を高めさせるような演出も行われる。
【０００５】
このような遊技者に有利な遊技状態に制御されている間の演出として、大入賞口の開放回数が異なる複数種類の大当たりがあり、その何れかに決定されているときにランクアップボーナス処理を実行するものがある。このランクアップボーナスにおいて所定個数以上の遊技球が入賞した場合には、そうでなかったときには実行されない特別な演出を実行するようにしたパチンコ遊技機がある（例えば、特許文献１参照）。
【先行技術文献】
【特許文献】
【０００６】
【特許文献１】特開２０１０−１０４４３６号公報
【発明の概要】
【発明が解決しようとする課題】
【０００７】
しかしながら、特許文献１のパチンコ遊技機では、所定個数以上の遊技球が入賞したときには特別な演出が必ず実行され、そうでなければ特別な演出が必ず実行されないものとなっているため、特別な演出が実行される／されないが明確すぎて却って遊技者の興味を引きづらいものとなっていた。また、特別な演出と他の演出との関連性が希薄であり、遊技全体を長い目で見ての演出の面白みが十分なものとはならなかった。
【０００８】
本発明は、特別な演出が実行されるか否かに対する遊技者の興味を増大させるとともに、演出間の関連性を増大させて演出を面白みのあるものとする遊技機を提供することを目的とする。
【課題を解決するための手段】
【０００９】
上記目的を達成するため、本発明にかかる遊技機は、
可変表示（飾り図柄の変動表示）を行うとともに、有利条件（大当たり）の成立により遊技者にとって有利な有利状態（大当たり遊技状態）に制御される遊技機（パチンコ遊技機１）であって、
実行される演出の種類（ラウンド演出の種類）を、予め定められた複数種類（ラウンド演出Ａ〜Ｈ）の演出のうちから選択する演出種類選択手段（表示制御基板８０の表示制御用ＣＰＵ）と、
前記演出種類選択手段により選択された種類の演出を実行する演出実行手段（表示制御基板８０の表示制御用ＣＰＵ）と、
前記演出実行手段により実行された演出の種類を記憶する手段であって、前記有利状態に制御されることに係る開始条件の成立を契機に記憶を開始するとともに、前記有利状態に制御された後に所定期間が経過するまでに再度前記有利状態に制御されたときには記憶する制御を継続し、前記有利状態に制御された後に前記所定期間が経過するまでに前記有利状態に制御されなかったことにより記憶を終了する演出種類記憶手段（表示制御基板８０の表示制御用ＣＰＵ及びＲＡＭ：ラウンド演出実行済フラグ）と、
前記演出種類記憶手段に記憶された演出の種類に、特別な組合せ（ラウンド演出Ｃ〜Ｈの全て）が含まれているか否かを判定する特別組合判定手段（表示制御基板８０の表示制御用ＣＰＵ）と、
前記特別組合判定手段により前記特別な組合せが含まれていると判定されたことを条件に、特別な演出（スペシャルエンディング演出）を実行する特別演出実行手段（表示制御基板８０の表示制御用ＣＰＵ）とを備え、
前記演出種類選択手段は、前記特別な組合せを構成する種類の演出のいずれかを選択可能であるとともに、予め定められた特別条件（突然確変大当たり、レアリーチハズレ、特別図柄表示器１０ａでの大当たり）が成立したときに、前記特別な組合せを構成する種類の演出を、該特別条件が成立していないときよりも高い割合で選択する（連チャン中に突然確変大当たりがあったときはなかったときよりも、レアリーチハズレがあったときにはなかったときよりも、特別図柄表示器１０ａでの大当たりであったときには特別図柄表示器１０ｂでの大当たりであったときよりも、ラウンド演出Ａ〜Ｃの選択割合が高い（図６（ａ）））
ことを特徴とする。
【００１０】
上記遊技機では、可変表示が行われるが、有利条件が成立したときには有利状態に制御される。有利状態は遊技者にとって有利な状態であるが、例えば、可変表示が実行されるときの状態（確率変動状態やＡＴなど）に応じて、有利状態に制御された後に所定期間が経過するまでに再度有利状態に制御され、実質的に遊技者にとって有利な状態が継続していると言えるような場合も生じる。また、一旦有利状態に制御されれば、少なくとも当該有利状態が終了するまでは、遊技者にとって有利な遊技状態に制御されることとなる。
【００１１】
また、上記遊技機では、予め定められた複数種類の演出から選択された種類の演出が実行され、これとは別の特別な演出が行われるが、特別な演出は、演出種類記憶手段に記憶された演出の種類に特別な組合せが含まれているときに限って実行される。ここで、演出種類記憶手段に演出の種類が記憶されるのは、有利状態に制御されることに係る開始条件の成立から、有利状態の終了の後に所定期間が経過するまでに有利状態に制御されなかったときまでである。このように特別な演出は、それまでに実行された演出との関係において実行されるものとなるため、演出間の関連性が高くなり、遊技全体を長い目で見ての演出の面白みを生じさせることができるものとなる。
【００１２】
また、特別な演出は、演出種類記憶手段に記憶されている演出の種類に特別な組合せが含まれることを条件に実行されるが、この特別な組合せを構成する演出の種類は、単純に現れてくるのではなく、予め定められた特別条件が成立したときには、特別条件が成立していないときよりも高い割合で選択される。もっとも、あくまでも割合の問題であって、特別条件が成立したときも成立していないときも、特別な組合せが記憶されることはあり得る（特別条件が成立したときの方が確率的に高いが）。このように特別な演出が実行されるための条件が単純なものではないため、特別な演出が実行されるか否かに対する遊技者の興味を増大させることができるものとなる。
【００１３】
本発明の手段１は、上記遊技機において、
前記所定期間は、通常の状態よりも有利条件が成立しやすい状態（確率変動状態）に制御されている期間であるものとすることができる。
【００１４】
通常の状態よりも有利条件が成立しやすい状態となっているときには、有利状態の終了から比較的短期間で新たな有利状態に制御されることが期待される期間であり、有利状態とともに遊技者にとって有利な状態を構成する期間であると言える。これを所定期間として適用することで、遊技者にとって有利な状態が継続している間に演出実行手段で実行された演出全てを、特別な組合せを構成するものであるかの対象とすることができ、遊技者にとって有利な状態（特定遊技状態と特定遊技結果となりやすい状態）が途切れない間、演出に対しても遊技者の関心を継続させることができる。
【００１５】
本発明の手段２は、上記遊技機において、
前記有利状態は、可変表示を挟むことなく遊技者にとって有利な有利遊技（大入賞口２１の開放（ラウンド））が複数回提供される遊技状態であり、
前記所定期間は、前記有利状態の後に可変表示に新たに制御されるまでの期間であるものとすることができる（第１大当たり遊技状態の終了時にラウンド演出実行済フラグを消去する変形例）。
【００１６】
このように有利状態の後に可変表示に新たに制御されるまでの期間を所定期間として適用することで、有利状態の終了は、即ち演出種類記憶手段への演出の種類の記憶の終了を意味する。これにより、実行された演出の種類が特別な組合せを構成するか否かを判断する単位を有利状態とすることができ、各回の有利状態毎で実行される演出に遊技者の関心を向けさせることができる。
【００１７】
なお、この場合、前記演出種類記憶手段は、各回の有利状態の終了で前記演出実行手段により実行された演出の種類の記憶を終了させればよく、有利状態の後に所定期間を経過する前に有利状態に制御されたか否かを判断する必要はない。
【００１８】
本発明の手段３は、上記遊技機（手段１または２を含む）は、
前記所定期間に制御されている間の遊技についての決定を行う手段であって、該遊技に関する決定を遊技者にとっての有利度が異なる複数種類の選択肢（確率変動大当たり、確変昇格大当たり、突然確変大当たり）から選択して行う遊技決定手段（主基板３１のＣＰＵ５６）をさらに備えていてもよい。
この場合において、前記特別条件は、少なくとも前記遊技決定手段の決定において前記複数種類の選択肢のうちで遊技者にとっての有利度が所定以下の選択肢（突然確変大当たり）が選択されることによって成立するものとすることができる。
【００１９】
この場合、遊技決定手段の決定で有利度が低い選択肢が選択されたとしても、その場合には却って特別な組合せを構成する種類の演出が選択されやすくなり、結果的に特別な演出が実行されやすくなる。これにより、有利度が低い選択肢の選択によって遊技者を落胆させてしまうのを防ぐことができる。
【００２０】
本発明の手段４は、上記遊技機（手段１乃至３のいずれかを含む）において、
前記所定期間に制御されている間の遊技についての決定を行う手段であって、該遊技に関する決定を選択割合が異なる複数の選択肢から選択して行う遊技決定手段（主基板３１のＣＰＵ５６）をさらに備え、
前記特別条件は、少なくとも前記遊技決定手段の決定において前記複数種類の選択肢のうちで選択割合が所定以下の所定の選択肢（特別図柄表示器１０ａでの大当たり）が選択されることによって成立するものとすることができる。
【００２１】
この場合、遊技決定手段による遊技についての決定で選択割合が低い選択肢が選択されると、その場合には特別な組合せを構成する種類の演出も選択されやすくなり、結果的に特別な演出が実行されやすくなる。これにより、選択割合が低い遊技についての決定がなされることに対する遊技者の関心をいっそう高めさせることができ、遊技の興趣を向上させることができる。
【００２２】
本発明の手段５は、上記遊技機（手段１乃至４のいずれかを含む）において、
前記演出種類選択手段は、前記複数種類の演出の各々を種類毎に異なる割合で選択し（変動パターンの選択割合は、その種類毎に異なる）、
前記特別条件は、少なくとも前記演出種類選択手段により前記複数種類の選択肢のうちで選択割合が所定以下の種類の演出（レアリーチ）が選択されることによって成立するものとすることができる。
【００２３】
この場合、演出種類選択手段による演出の種類で選択割合が低い種類の演出が選択されると、その場合には特別な組合せを構成する種類の演出も選択されやすくなり、結果的に特別な演出が実行されやすくなる。これにより、選択割合が低い種類の演出が選択されることに対する遊技者の関心をいっそう高めさせることができ、遊技の興趣を向上させることができる。
【００２４】
本発明の手段６は、上記遊技機（手段１乃至５のいずれかを含む）において、
前記演出種類選択手段は、前記特別な組合せを構成する種類の演出を選択する場合において、該特別な組合せを構成する種類の演出のうちで前記所定期間において未だ実行されていない種類の演出を、該所定期間において既に実行されている種類の演出よりも高い割合で選択するものとすることができる（ラウンド演出Ｃ〜Ｈを選択する場合は、未だ実行されていないものを優先的に選択）。
【００２５】
この場合、特別な組合せを構成する種類の演出が選択されたのに、特別な組合せが揃うのには何の意味もない選択となるということを抑えることができるので、特別な組合せを構成する種類の演出が選択されることに対する遊技者の期待にいっそう応えることができるものとなる。
【図面の簡単な説明】
【００２６】
【図１】本発明の実施の形態にかかるパチンコ遊技機の正面図である。
【図２】図１のパチンコ遊技機の制御回路の構成を示すブロック図である。
【図３】（ａ）は、大当たり判定用テーブルを示す図であり、（ｂ）、（ｃ）は、大当たり種別判定用テーブルを示す図である。
【図４】変動パターン選択テーブルを示す図である。
【図５】大当たり演出が実行されているときに可変表示装置に表示される画面の表示例を示す図である。
【図６】（ａ）は、ラウンド演出におけるキャラクタ選択テーブルを示す図であり、（ｂ）は、ラウンド演出実行済フラグ及び条件成立フラグを示す図である。
【図７】大当たり演出におけるエンディング演出選択テーブルを示す図である。
【図８】主基板の制御部により実行される２ｍｓタイマ割り込み処理を示すフローチャートである。
【図９】表示制御基板の表示制御ＣＰＵにより実行されるメイン処理を示すフローチャートである。
【図１０】本発明の実施の形態における連チャン中の大当たり演出の実行例を示す図である。
【図１１】本発明の実施の形態における連チャン中の大当たり演出の実行例を示す図である。
【発明を実施するための形態】
【００２７】
以下、添付図面を参照して、本発明の実施の形態について説明する。
【００２８】
図１は、この実施の形態に適用されるパチンコ遊技機１を正面からみた正面図である。パチンコ遊技機１は、縦長の方形状に形成された外枠（図示せず）と、外枠の内側に開閉可能に取り付けられた遊技枠とで構成される。また、パチンコ遊技機１は、遊技枠に開閉可能に設けられている額縁状に形成されたガラス扉枠２を有する。遊技枠は、外枠に対して開閉自在に設置される前面枠（図示せず）と、機構部品等が取り付けられる機構板（図示せず）と、それらに取り付けられる種々の部品（後述する遊技盤６を除く）と、を含む構造体である。
【００２９】
図１に示すように、パチンコ遊技機１は、額縁状に形成されたガラス扉枠２を有する。ガラス扉枠２の下部表面には打球供給皿（上皿）３がある。打球供給皿３の前面には、チャンスボタン１６が設けられている。チャンスボタン１６は、可変表示装置９などの演出手段において所定の種類の演出が実行されているときに、遊技者がこれを操作し、その操作が所定の操作条件を満たしたか否かにより、演出の結果を変化させることができるボタンである。
【００３０】
打球供給皿３の下部には、打球供給皿３に収容しきれない遊技球を貯留する余剰球受皿４、回転操作することにより遊技領域７に打球を発射する打球操作ハンドル（操作ノブ）５が設けられている。また、ガラス扉枠２の背面には、遊技盤６が着脱可能に取り付けられている。なお、遊技盤６は、それを構成する板状体と、その板状体に取り付けられた種々の部品とを含む構造体である。また、遊技盤６の前面には打ち込まれた遊技球が流下可能な遊技領域７が形成されている。
【００３１】
遊技領域７の中央付近には、液晶表示装置（ＬＣＤ）により構成される可変表示装置９を備えている。可変表示装置９の周囲を取り巻く円形状の枠の中に、演出手段としての装飾ランプ２５ａ〜２５ｃと、役物２６とが設けられている。遊技領域７の可変表示装置９よりも下側には、２つの始動入賞口１４ａ、１４ｂが上下に並べて配置されている。下側にある始動入賞口１４ｂには、開放状態となることで遊技球の入賞を容易にする可変入賞装置１５が設けられている。可変入賞装置１５が閉鎖状態となっているときには、始動入賞口１４ｂへの遊技球の入賞が困難になるが、完全に不可能となってしまう訳ではない。
【００３２】
始動入賞口１４ａ、１４ｂの下方には、大入賞口２１が開放状態とされる特別可変入賞装置２０が設けられている。特別可変入賞装置２０が閉鎖状態となっているときには、大入賞口２１に遊技球が全く入賞し得なくなる。特別可変入賞装置２０が設けられている位置は、遊技者が可変表示装置９を見て遊技を進めている場合には、大入賞口２１が開放状態となっているのかどうかが遊技者にほとんど分からないような位置となっている。特別可変入賞装置２０の両側には、７セグメントＬＥＤにより構成される特別図柄表示器１０ａ、１０ｂが設けられている。特別図柄表示器１０ａ、１０ｂでは、７セグメントＬＥＤによって表示される特別図柄の変動表示を行なっている。
【００３３】
特別図柄表示器１０ａは、始動入賞口１４ａへの遊技球の入賞に基づいて特別図柄の変動表示（特図ゲーム）を行い、特別図柄表示器１０ｂは、始動入賞口１４ｂへの遊技球の入賞に基づいて特別図柄の変動表示を行う。特別図柄表示器１０ａ、１０ｂの両方で同時に特別図柄の変動表示が行われることはなく、特別図柄表示器１０ａまたは１０ｂで特別図柄の変動表示が終了した後に、特別図柄表示器１０ａ、１０ｂの両方で変動表示を開始させるための条件が成立しているときには、いわゆる電チューサポートがされる方の特別図柄表示器１０ｂで優先的に特別図柄の変動表示が行われることとなる。
【００３４】
特別図柄表示器１０ａ、１０ｂの表示結果の態様は、７つのセグメントの点灯／非点灯の組み合わせにより、２＾７−１＝１２７通りある（＾は、べき乗を表し、７セグメントの全てを非点灯する態様が特別図柄表示器１０ａ、１０ｂの表示結果として除かれるため、１だけマイナスされている）。第１特定表示結果、第２特定表示結果、第３特定表示結果、第４特定表示結果には、「０」〜「９」の数字などの遊技者にとって比較的分かり易い図柄を含んでいてよいが、意味のある文字とは認識できない７つのセグメントの点灯／非点灯の組み合わせも採用しており、特別図柄表示器１０ａ、１０ｂの表示結果だけからは大当たりの種類を特定することが非常に困難なものとなっている。
【００３５】
特別図柄表示器１０ａ、１０ｂに第１特定表示結果（確率変動大当たり図柄）を表示した後には、後述する第１大当たり遊技状態に遊技状態を制御する。第１大当たり遊技状態の終了後に、次の大当たり（種類を問わず）が発生するまでの間、時短状態（特別図柄及び普通図柄の変動表示の時間が短縮される状態）に遊技状態が制御されるとともに、通常遊技状態（或いは、確率変動状態とならない時短状態）よりも大当たり確率が高くなる確率変動状態に遊技状態が制御される。
【００３６】
特別図柄表示器１０ａ、１０ｂに第２特定表示結果（確変昇格大当たり図柄）を表示した後には、後述する第１大当たり遊技状態に遊技状態を制御する。第１大当たり遊技状態の終了後に、次の大当たり（種類を問わず）が発生するまでの間、時短状態（特別図柄及び普通図柄の変動表示の時間が短縮される状態）に遊技状態が制御されるとともに、前記した確率変動状態に遊技状態が制御される。
【００３７】
特別図柄表示器１０ａ、１０ｂに第３特定表示結果（突然確変大当たり図柄）を表示した後には、後述する第２大当たり遊技状態に遊技状態を制御する。第２大当たり遊技状態の終了後に、次の大当たり（種類を問わず）が発生するまでの間、時短状態（特別図柄及び普通図柄の変動表示の時間が短縮される状態）に遊技状態が制御されるとともに、前記した確率変動状態に遊技状態が制御される。
【００３８】
特別図柄表示器１０ａ、１０ｂに第４特定表示結果（時短大当たり図柄）を表示した後には、後述する第１大当たり遊技状態に遊技状態を制御する。第１大当たり遊技状態の終了後に、特別図柄表示器１０ａ、１０ｂにおいて１００回の変動表示が行われるまでの間は時短状態に遊技状態が制御されるものの、次の大当たり発生までの大当たり確率を通常とする（確率変動状態の大当たり確率よりも低くなる）通常遊技状態に制御される。通常遊技状態において何れかの種類の大当たりが発生することを、初当たりという。
【００３９】
また、可変表示装置９では、横方向に３つ並べられた飾り図柄表示領域９ａ〜９ｃにて飾り図柄（例えば、「０」〜「９」の１０種類）を縦方向にスクロールさせる変動表示を行っている。可変表示装置９は、特別図柄表示器１０ａ、１０ｂで行われる変動表示の内容を、飾り図柄の変動表示によって演出効果を高めて遊技者に表示するための変動表示装置である。特別図柄表示器１０ａ、１０ｂで特別図柄の変動表示が継続されている限り、飾り図柄の変動表示が一旦停止（仮停止）していても、大当たり抽選及び大当たり種別抽選に対する確定的な表示結果が示されたことにはならない。
【００４０】
さらに、可変表示装置９においては、飾り図柄が変動表示されるのに合わせてキャラクタの表示などによる演出（リーチ予告や大当たり予告などの各種演出）が行われるものとなる。可変表示装置９は、特別図柄の変動表示に合わせて飾り図柄の変動表示を行うため以外に、後述する大当たり演出における画像を表示するためにも用いられる。
【００４１】
なお、第１特定表示結果（確率変動大当たり図柄）の表示によっても、第２特定表示結果（確変昇格大当たり図柄）の表示によっても、第１大当たり遊技状態から確率変動状態への制御（＋時短）という遊技状態の制御には全く変わりがない。もっとも、特別図柄表示器１０ａ、１０ｂに第１特定表示結果（確率変動大当たり図柄）が表示されたときには、この時点で可変表示装置９に表示される飾り図柄を「１」または「７」で揃えるなどして確率変動状態に制御される旨が報知される。
【００４２】
これに対して、第２特定表示結果（確変昇格大当たり図柄）が表示されたときには、この時点では可変表示装置９に表示される飾り図柄を第４特定表示結果（時短大当たり図柄）が表示されたときと同様に「１」または「７」以外の図柄で揃えるなどして確率変動状態に制御される旨が報知されない。第４特定表示結果（時短大当たり図柄）が表示されたときには、可変表示装置９に表示される飾り図柄を「１」または「７」以外の図柄とする。確率変動状態に制御される旨は、大当たり演出において報知される。
【００４３】
第３特定表示結果（突然確変大当たり図柄）が表示されたときには、可変表示装置９に表示される飾り図柄を特別図柄表示器１０ａ、１０ｂにハズレ図柄が表示されたときと同様の３つの飾り図柄が揃っていない態様にするものとなっている。なお、突然確変大当たりによって制御される第２大当たり遊技状態は、後述するように大入賞口２１の開放が極短期間で終了し、大当たり演出も実行されずに次の変動表示の開始までハズレ図柄を表示したままとしておく。もっとも、第２大当たり遊技状態が終了して次の変動表示が開始されたときには、確率変動状態に制御されていることとなる。
【００４４】
また、特別図柄表示器１０ａまたは１０ｂにて特別図柄の変動表示が行われ、可変表示装置９にて飾り図柄の変動表示が行われているときに、装飾ランプ２５ａ〜２５ｃの点灯や役物２６の駆動などによる演出が実行されることがある。なお、パチンコ遊技機１において実行される演出には、大きく分けて予告と告知とがあるが、予告とは、それによって示される内容が生じる可能性があることの報知であり、それによって示される内容が生じることを確定的に示す報知である告知と区別される。但し、一連の演出の終了間際までは可能性を示すだけであるが、当該一連の演出の最終部分で確定的な報知がなされる場合は、最終部分が告知、それよりも前の部分が予告としての意味を持つ演出となる。
【００４５】
可変表示装置９の表示領域のうちの下部の表示領域に、始動入賞口１４ａ、１４ｂに遊技球が入り始動条件が成立したが未だ特別図柄表示器１０ａ、１０ｂの開始条件（例えば、前回の特別図柄の変動表示の終了、大当たり遊技状態の終了）が成立していない始動条件の成立回数として後述する主基板３１のＲＡＭ５５（図２参照）に記憶された保留記憶数をそれぞれ表示する保留記憶数表示手段として特別図柄保留記憶表示部１１ａ、１１ｂが設定されている。
【００４６】
特別図柄保留記憶表示部１１ａは、４つのアイコンの表示部を備え、始動入賞口１４ａへの有効始動入賞（本実施形態では、保留記憶数が４未満のときの始動入賞）がある毎に、表示するアイコンをその時点で表示されているアイコンの右側に１つ追加し、特別図柄表示器１０ａにて特別図柄の変動表示が開始される毎に、最も左側に表示されていたアイコン（今回開始した変動表示に対応していたもの）を消去するとともに、他に表示されていたアイコンを１つずつ左にずらして表示する。すなわち、表示するアイコンの数を１つ減らす。特別図柄保留記憶表示部１１ｂについても、同様に、始動入賞口１４ｂへの有効始動入賞がある毎に、アイコンを１つ増やし、特別図柄表示器１０ｂにて特別図柄の変動表示が開始される毎に、アイコンを１つ減らす。
【００４７】
ＲＡＭ５５（図２参照）には、特別図柄表示器１０ａにおける特別図柄の始動条件が成立（打球が始動入賞口１４ａへ入賞）したときに主基板３１のＣＰＵ５６（図２参照）により抽出された大当たり判定用乱数等の各種乱数の抽出順番を特定可能に記憶する４つの保留記憶バッファが設けられている。特別図柄保留記憶表示部１１ａは、保留記憶バッファのうちで各種乱数の記憶された保留記憶バッファの数（保留記憶数）を特定可能に表示する。保留記憶バッファには、抽出された各種乱数のうち未だ開始条件（例えば、前回の特別図柄の変動表示の終了、大当たり遊技状態の終了）が成立していない数値データが予め定められた上限数として４個まで記憶される。特別図柄保留記憶表示部１１ｂについても、同様の保留記憶バッファが設けられている。
【００４８】
上記した始動入賞口１４ａ、１４ｂに入った入賞球は、それぞれ遊技盤６の背面に導かれ、始動口スイッチ６２ａ、６２ｂ（図２参照）によって検出される。可変入賞装置１５は、ソレノイド７１（図２参照）によって開放状態とされる。後述する普通図柄の変動表示の結果に応じてソレノイド７１により可変入賞装置１５が開放状態となることにより、遊技球が始動入賞口１４ｂに入賞し易くなり（始動入賞し易くなり）、遊技者にとって有利な状態となる。
【００４９】
また、特別可変入賞装置２０は、ソレノイド７２（図２参照）により可動して大入賞口２１に遊技球が入賞可能な受入可能状態と、大入賞口２１に遊技球が入賞不能な受入不能状態とに変化可能であり、受入可能状態において大入賞口２１が開放状態とされるものとなる。また、特別可変入賞装置２０から遊技盤６の背面に導かれた入賞球は、カウントスイッチ６３（図２参照）で検出される。遊技盤６の背面には、大入賞口２１内の経路を切り換えるためのソレノイド７３（図２参照）も設けられている。
【００５０】
特別可変入賞装置２０は、第１大当たり遊技状態において、大入賞口２１の開放から一定時間経過するまで、または所定個数（例えば、１０個）の遊技球が入賞するまで大入賞口２１を開放状態とする。大入賞口２１が開閉されてから一定期間（例えば、第１大当たり遊技状態においては３０秒、第２大当たり遊技状態においては１秒）経過するまで、または所定個数（例えば、１０個）の打球が大入賞口２１に入賞するまでが１ラウンドである。第１大当たり遊技状態は、このような大入賞口２１の開放が所定回数（例えば、１５回）に亘って繰り返して提供される遊技状態である。
【００５１】
特別可変入賞装置２０は、また、第２大当たり遊技状態において、大入賞口２１を極めて短い時間（例えば、０．２〜０．５秒程度）で２回だけ開放状態とする。突然確変大当たりしたときに確率変動状態に制御される前の遊技状態が、この第２大当たり遊技状態である。第２大当たり遊技状態は、大入賞口２１の開放が極めて短い期間しか行われないため、打球が１つも大入賞口２１に入賞しないまま終了して、確率変動状態に制御されることとなる場合も多く、第２大当たり遊技状態に制御されたこと自体が遊技者に気づかれない場合も多い。
【００５２】
また、遊技領域７の左側には、「１５」及び「２」と付された一対のＬＥＤからなるラウンド数表示器１９が設けられている。このラウンド数表示器１９は、発生される大当たり遊技状態のラウンド数（第１、第２大当たり遊技状態で、それぞれ１５、２ラウンド）を表示するものである。一方、遊技領域７の右側には、「○」及び「×」と付された左右一対のＬＥＤからなる普通図柄表示器１２が設けられている。この普通図柄表示器１２は、普通図柄と呼ばれる複数種類の識別情報（例えば、「○」及び「×」）を変動表示可能なものである。
【００５３】
ゲート２８ａ、２８ｂを遊技球が通過したことがゲートスイッチ６１（図２参照）で検出されると、普通図柄当たり判定用乱数が抽出されて主基板３１（図２参照）に搭載されるＲＡＭ５５（図２参照）の普通図柄バッファに格納される。この実施の形態では、ＲＡＭ５５（図２参照）の普通図柄バッファに記憶可能な普通図柄当たり判定用乱数の記憶数の上限は、４個となっている。普通図柄表示器１２において普通図柄の表示状態が変化（「○」および「×」が交互に点灯）する変動表示を開始できる状態（前回の普通図柄表示器１２における変動表示の終了）であれば、普通図柄表示器１２において普通図柄の変動表示が開始される。
【００５４】
普通図柄表示器１２の上方には、普通図柄バッファに格納される普通図柄当たり判定用乱数の記憶数を表示する所定数（この実施の形態では４つ）のＬＥＤを有する普通図柄保留記憶表示器１３が設けられている。この普通図柄保留記憶表示器１３は、ゲート２８ａ、２８ｂを遊技球が通過したことがゲートスイッチ６１で検出されて新たに普通図柄当たり判定用乱数が記憶されると、点灯するＬＥＤを１つ増やす。普通図柄表示器１２にて普通図柄（例えば、「○」及び「×」）の変動表示が開始される毎に点灯しているＬＥＤを１減らす。
【００５５】
普通図柄表示器１２にて、○と×の付された左右のランプ（点灯時に図柄が視認可能になる）が交互に点灯することによって普通図柄の変動表示が行われ、変動表示は所定時間（例えば、時短状態であれば２．９秒、時短状態でなければ２９．２秒）継続する。そして、変動表示の終了時に○の付された左側のランプが点灯すれば当たりとなる。普通図柄表示器１２における変動表示の表示結果が当たりである場合には、可変入賞装置１５が所定時間（例えば、時短状態であれば２．９秒、時短状態でなければ１．４秒）だけ開放状態になる。
【００５６】
普通図柄の変動表示の結果を当たりとするか否かは、ゲート２８ａ、２８ｂを遊技球が通過し、ゲートスイッチ６１で遊技球が検出されたときに抽出された普通図柄当たり判定用乱数の値が所定の普通図柄当たり判定値と合致したか否かによって決定される。この当たり確率は、時短状態では非常に高い（例えば、３５／３６）が、時短状態でなければ低い（例えば、１／３６）ものとなっている。時短状態は、このように可変入賞装置１５が開放状態にある割合が非常に多いので、遊技者の手持ちの遊技球を減少させずに（或いは、減少したとしても減少量はごく僅かで）、遊技を進められる状態となっている。
【００５７】
ゲート２８ａの左方及び下方、並びにゲート２８ｂの下方及び右方には、それぞれ入賞口２９ａ〜２９ｄが設けられている。入賞口２９ａ〜２９ｄに遊技球が入賞したことが入賞口スイッチ６４ａ（図２参照）で検出されると、所定数の遊技球が払い出される。遊技球の払い出しは、始動入賞口１４ａ、１４ｂ、大入賞口２１への遊技球の入賞によっても行われるが、ゲート２８ａ、２８ｂを遊技球が通過しても行われない。
【００５８】
遊技盤６の遊技領域７の下部には、入賞しなかった打球が取り込まれるアウト口３０が設けられている。また、遊技領域７の外側の左右上部には、所定の音声出力として効果音や音声を発声する２つのスピーカ２７が設けられている。遊技領域７の外周上部、外周左部および外周右部には、前面枠に設けられた天枠ランプ４０、枠ランプ左４１および枠ランプ右４２が設けられている。
【００５９】
また、図１には示していないが、パチンコ遊技機１には打球操作ハンドル５を操作することにより駆動モータを駆動し、駆動モータの回転力を利用して遊技球を遊技領域７に発射する打球発射装置４５（図２参照）が設けられている。打球発射装置４５から発射された遊技球は、遊技盤６に遊技領域７を囲むように円形状に載設された打球レールを通って遊技領域７に入り、その後、遊技領域７を下りてくる。始動入賞口１４ａ、１４ｂ、大入賞口２１、入賞口２９ａ〜２９ｄのいずれにも入賞しなかった遊技球は、アウト口３０から排出されるものとなっている。
【００６０】
図２は、本実施形態に係るパチンコ遊技機１の回路構成の概要を表したブロック図である。主基板３１には、プログラムに従ってパチンコ遊技機１を制御する基本回路５３が搭載されている。基本回路５３は、ゲーム制御用のプログラム等を記憶するＲＯＭ５４、ワークメモリとして使用される記憶手段としてのＲＡＭ５５、プログラムに従って遊技の信号を制御するＣＰＵ５６、及び表示制御基板８０等に制御信号を送信するＩ／Ｏポート部５７を含む。
【００６１】
この実施の形態では、ＲＯＭ５４、ＲＡＭ５５、ＣＰＵ５６及びＩ／Ｏポート部５７を含む基本回路５３は、１チップマイクロコンピュータとして構成されているが、この基本回路５３を構成する１チップマイクロコンピュータには、パチンコ遊技機１の電源が遮断されている間にもバックアップバッテリから電力が供給されている。すなわち、ＲＡＭ５５に記憶されているデータは、バックアップバッテリから電力が供給される限りにおいて、パチンコ遊技機１の電源が遮断されている間も保持される。
【００６２】
なお、ＣＰＵ５６はＲＯＭ５４に格納されているプログラムに従って制御を実行するので、以下、ＣＰＵ５６が実行する（または、処理を行う）ということは、具体的には、ＣＰＵ５６がプログラムに従って制御を実行することである。このことは、主基板３１以外の他の基板に搭載されているＣＰＵについても同様である。また、この実施の形態で用いられる遊技制御用マイクロコンピュータとは、主基板３１に搭載されるＣＰＵ５６、ＲＯＭ５４、ＲＡＭ５５、Ｉ／Ｏポート部５７、等の周辺回路のことである。
【００６３】
また、ゲートスイッチ６１、始動口スイッチ６２ａ、６２ｂ、カウントスイッチ６３、入賞口スイッチ６４、余剰球受皿４がいっぱいになったときに検出する満タンスイッチ（図示しない）、カウントスイッチ短絡信号（図示しない）、からの信号を基本回路５３に与えるスイッチ回路３２、可変入賞装置１５を開閉するソレノイド７１、特別可変入賞装置２０を開閉するソレノイド７２、大入賞口２１内に設けられたシーソーを可動するソレノイド７３、等を基本回路５３からの指令に従って駆動するソレノイド回路３３、電源投入時に基本回路５３をリセットするためのシステムリセット回路（図示しない）、基本回路５３から与えられるデータに従って、大当たり遊技状態（第１大当たり遊技状態、第２大当たり遊技状態）の発生を示す大当たり情報等の情報出力信号をホールコンピュータ等の外部装置に対して出力する情報出力回路３４、も主基板３１に搭載されている。
【００６４】
また、電源起動時において内部状態（ＲＡＭ５５）をリセットするリセットスイッチ９３、及び電源のＯＮ／ＯＦＦ切り替えを行うメインスイッチ９４も、主基板３１に接続されており、これらのスイッチの検出信号を基本回路５３へと送る。これらのスイッチ９３、９４は、パチンコ遊技機１の内部に設けられている。
【００６５】
また、主基板３１に搭載されたＣＰＵ５６は、特別図柄表示器１０ａ、１０ｂの表示制御、普通図柄表示器１２、およびラウンド数表示器１９の表示制御を行う。さらに、普通図柄保留記憶表示器１３の発光制御を行う。
【００６６】
主基板３１に設けられた遊技制御用マイクロコンピュータ（ＣＰＵ５６及びＲＯＭ５４、ＲＡＭ５５等の周辺回路）は、プリペイドカード等が挿入されることによって球貸しを可能にするカードユニット５０、遊技盤６に設けられた複数の入賞口にて遊技球の入賞を検出したことにより賞球払い出しを行う球払出装置４４、を制御する払出制御基板３６に払出制御信号を送信する。また、遊技制御用マイクロコンピュータは、打球操作ハンドル５を操作することにより打球発射装置４５を駆動制御して遊技球を遊技領域７に向けて発射制御する発射制御基板３７に発射制御信号を送信する。
【００６７】
さらに、遊技制御用マイクロコンピュータは、表示制御基板８０に演出制御コマンド（演出制御信号）を送信する。演出制御コマンドを受信することにより表示制御基板８０に設けられた表示制御用マイクロコンピュータ（表示制御用ＣＰＵ（図示しない）、ＲＡＭ（図示しない）、ＲＯＭ（図示しない）、Ｉ／Ｏポート部（図示しない）、等の周辺回路）は、可変表示装置９の表示制御を行う。表示制御用マイクロコンピュータには、パチンコ遊技機１の電源が遮断されている間にバックアップバッテリから電力が供給されず、そのＲＡＭに記憶されたデータは、パチンコ遊技機１の電源が遮断されると消去される。
【００６８】
表示制御用ＣＰＵは、ＲＯＭに格納されたプログラムに従って動作し、主基板３１から演出制御コマンドを受信すると、受信した演出制御コマンドに従って可変表示装置９の表示制御を行う。具体的には、画像表示を行う表示制御機能及び高速描画機能を有するＶＤＰ（図示しない）により可変表示装置９の表示制御を行う。表示制御用ＣＰＵは、受信した演出制御コマンドに従ってキャラクタＲＯＭ（図示しない）から必要なデータを読み出す。キャラクタＲＯＭは、可変表示装置９に表示される画像の中でも使用頻度の高いキャラクタ画像データ、具体的には、人物、怪物、文字、図形または記号等を予め格納しておくためのものである。
【００６９】
そして、表示制御用ＣＰＵは、キャラクタＲＯＭから読み出したデータをＶＤＰに出力する。ＶＤＰは、表示制御用ＣＰＵからデータが入力されたことに基づいて動作する。この実施の形態では、可変表示装置９の表示制御を行うＶＤＰ（図示しない）が表示制御基板８０に搭載されている。また、ＶＤＰは、表示制御用ＣＰＵとは独立した二次元のアドレス空間を持ち、そこにＶＲＡＭ（図示しない）をマッピングしている。ＶＤＰは、キャラクタ画像データに従って可変表示装置９に表示するための画像データを生成し、ＶＲＡＭに展開する。ＶＲＡＭは、ＶＤＰによって生成された画像データを展開するためのフレームバッファメモリである。そして、可変表示装置９に出力する。なお、可変表示装置９の表示制御には、特別図柄の変動表示、大当たり演出、保留記憶のアイコン表示などが含まれる。
【００７０】
また、表示制御基板８０には、スイッチ回路（図示しない）を介してチャンスボタン１６が接続されており、チャンスボタン１６の操作によって内容が変化される演出を可変表示装置９において実行しているときには、チャンスボタン１６の操作を検出した検出信号に基づいて、可変表示装置９における画像の表示を制御するものとしている。
【００７１】
また、この実施の形態では、表示制御基板８０に設けられた表示制御用マイクロコンピュータは、音声出力基板７０にスピーカ２７の駆動信号を出力することによりスピーカ２７の音声出力制御を行うとともに、ランプドライバ基板３５に役物、ランプ・ＬＥＤの駆動信号を出力することによりパチンコ遊技機１に設けられた役物、ランプ・ＬＥＤの発光制御を行う。すなわち、表示制御基板８０に搭載される表示制御用マイクロコンピュータは、主基板３１から送信される可変表示装置９の表示制御、ランプ・ＬＥＤの点灯制御、遊技音発生等の演出の制御に関する指令情報としての演出制御コマンド（制御信号）に基づいて可変表示装置９、スピーカ２７、パチンコ遊技機１に設けられるランプ・ＬＥＤ等の発光体の制御を行う演出制御用マイクロコンピュータである。
【００７２】
スピーカ２７から出力される音声の再生の処理そのものは、音声出力基板７０に搭載された音声制御用マイクロコンピュータ（ＣＰＵ、ＲＡＭ、ＲＯＭを含む）が行い、ランプ・ＬＥＤの点灯制御の処理そのものは、ランプドライバ回路３５に搭載されたランプ制御用マイクロコンピュータ（ＣＰＵ、ＲＡＭ、ＲＯＭを含む）が行うものとなっている。もっとも、これらのマイクロコンピュータは、表示制御基板８０の表示制御用ＣＰＵから指示されたままに音声の再生出力やランプ・ＬＥＤの点灯を単純に行うのみであり、どの様な音声を再生出力させるか、ランプ・ＬＥＤをどの様に点灯させるかは、表示制御基板８０の表示制御用ＣＰＵが制御しているとも言える。
【００７３】
以下、この実施の形態にかかるパチンコ遊技機１における特別図柄表示器１０ａ、１０ｂにおける特別図柄の変動表示、及び可変表示装置９における飾り図柄の変動表示について説明する。特別図柄の変動表示の結果を大当たりとするか否か、大当たりとする場合にはいずれの種類の大当たりとするか、さらには特別図柄の変動パターンをいずれとするかは、始動入賞時に抽出される各種乱数に基づいて、特別図柄表示器１０ａ、１０ｂにおける特別図柄の変動表示の始動条件が成立したときに決定される。
【００７４】
まず、大当たりの決定について説明する。図３（ａ）は、ＲＯＭ５４に記憶されている大当たり判定用テーブルを示す図である。特別図柄の変動表示の結果を大当たりとするか否かは、図３（ａ）の大当たり判定用テーブルと、始動入賞時に抽出された乱数のうちの大当たり判定用乱数（ランダムＲ：０〜６５５３５）の値とに基づいて決定される。通常時（非確率変動時）においては、大当たり判定用乱数の値が１０００〜１０５９、１３３２０〜１３４７７であれば、大当たりとすることを決定し、それ以外の値であれば、ハズレとすることを決定する。一方、確率変動時においては、大当たり判定用乱数の値が１０２０〜１５１９、１３３２０〜１５００４であれば、大当たりとすることを決定し、それ以外の値であれば、ハズレとすることを決定する。
【００７５】
次に、大当たり種別の決定について説明する。図３（ｂ）及び図３（ｃ）は、ＲＯＭ５４に記憶されている大当たり種別判定用テーブルを示す図である。ここで、図３（ｂ）は、特別図柄表示器１０ｂで特別図柄の変動表示を行う場合に大当たり種別を決定するための大当たり種別判定用テーブルであり、図３（ｃ）は、特別図柄表示器１０ａで特別図柄の変動表示を行う場合に大当たり種別を決定するための大当たり種別判定用テーブルである。
【００７６】
特別図柄表示器１０ｂで特別図柄の変動表示を行う場合には、大当たり判定用乱数及び大当たり判定用テーブルに基づいて特別図柄の変動表示の結果を大当たりとする旨が決定された場合、さらに始動入賞時に抽出された乱数のうちの大当たり種別判定用乱数（ランダムＱ：０〜９）の値が０、３、５または７であれば確率変動大当たりと決定し、１であれば確変昇格大当たりと決定し、９であれば突然確変大当たりと決定し、２、４、６または８であれば時短大当たりと決定する。
【００７７】
一方、特別図柄表示器１０ａで特別図柄の変動表示を行う場合には、大当たり判定用乱数及び大当たり判定用テーブルに基づいて特別図柄の変動表示の結果を大当たりとする旨が決定された場合、さらに始動入賞時に抽出された乱数のうちの大当たり種別判定用乱数（ランダムＱ：０〜９）の値が３、５または７であれば確率変動大当たりと決定し、１であれば確変昇格大当たりと決定し、０または９であれば突然確変大当たりと決定し、２、４、６または８であれば時短大当たりと決定する。
【００７８】
ところで、確率変動状態では、３０分の１の確率で大当たりとなるが、新たな大当たりが発生するまで特別図柄の変動表示が実行される回数の制限なく、時短状態に制御される。時短状態では、可変入賞装置１５が開放状態にある割合が非常に高く、特別図柄表示器１０ａよりも優先される特別図柄表示器１０ｂにて特別図柄の変動表示を行わせるための始動入賞口１４ｂの入賞による保留記憶が途切れることが少ない。また、第１大当たり遊技状態に制御されている間の時間は非常に長いので、ほとんど例外なく、第１大当たり遊技状態が終了するまでに始動入賞口１４ａの入賞による保留記憶も、始動入賞口１４ｂの入賞による保留記憶も一杯になる。
【００７９】
特別図柄表示器１０ａで特別図柄の変動表示を行う場合に確率変動大当たりまたは確変昇格大当たりとなる確率は、大当たりとなった場合の２／５（＝４／１０）であるのに対して、特別図柄表示器１０ｂで特別図柄の変動表示を行う場合に確率変動大当たりまたは確変昇格大当たりとなる確率は、大当たりとなった場合の１／２（＝５／１０）もある。つまり、一旦確率変動大当たりまたは確変昇格大当たりが発生すると、それに基づく第１大当たり遊技状態が終了してから、さらに遊技者が多くの遊技球を獲得することができる第１大当たり遊技状態を介して次も確率変動状態となる割合が高いものとなる。
【００８０】
次に、特別図柄の変動パターンの決定について説明する。特別図柄の変動パターンは、開始条件（より先の始動入賞に基づく変動表示が全て終了する（している）ことにより成立）が成立したときに、特別図柄の変動表示の結果（大当たりとするか否か、大当たりとする場合は大当たりの種別）に応じて決定されるものとなる。また、変動パターンを決定する場合、まず始動入賞時に抽出された乱数のうちの変動種別判定用乱数の値に基づいて変動パターンの種別を決定し、さらに始動入賞時に抽出された変動パターン判定用乱数の値に基づいて変動パターンを決定するものとなる。
【００８１】
変動パターンの種別には、ハズレとすることが決定された場合には、非リーチハズレ、ノーマルリーチ、スーパーリーチの３種類がある。確率変動大当たり、確変昇格大当たりまたは時短大当たりとすることが決定された場合には、ノーマルリーチ、スーパーリーチの２種類がある。突然確変大当たりとすることが決定された場合には、突然確変の１種類であるが、これは、飾り図柄の変動に関しては非リーチハズレと基本的に同じものになる。
【００８２】
ここで、ノーマルリーチ、スーパーリーチは、何れも変動表示の過程において１番目、２番目にそれぞれ停止される左と右の飾り図柄が同一の種類の図柄で揃うリーチ表示態様が出現するパターンであるが、ノーマルリーチは、中の飾り図柄の変動表示の態様がハズレの場合と異ならない（最終的に停止される図柄は異なる）変動パターンであり、変動表示の開始から終了までに要する時間が非リーチハズレと比べて通常の場合には変わりがない。
【００８３】
一方、スーパーリーチは、リーチ表示態様が出現した後、最後に停止される中の飾り図柄の変動表示が通常とは異なる態様となるリーチ演出表示が行われる変動パターンとなっており、変動表示に要する時間が非リーチハズレやノーマルリーチと比べると、かなり長くなっている。
【００８４】
また、保留記憶の数が３以上となったときには、選択された変動パターンの本来の変動表示時間よりも特別図柄及び飾り図柄の変動表示が実行される時間が短縮される（４となったときには、３となったときよりも一層短縮される）。非リーチハズレとノーマルリーチでは、通常の場合に変動表示が実行される時間に変わりがないものの、ノーマルリーチでは一旦リーチ表示態様を出現させてから表示結果を導出させるという過程を経ることになるため、短縮された変動時間については、このような過程を経ないでよい非リーチハズレよりもノーマルリーチハズレの方が長くなる。また、スーパーリーチの変動パターンでは、中の飾り図柄における演出表示が（全部または一部）省略されて飾り図柄の変動表示の結果が表示されることがある。
【００８５】
変動パターンの種別の選択割合は、当該変動表示の開始条件が成立した時点における保留記憶の数に応じて異なっていてもよい。もっとも、少なくともスーパーリーチの種別を選択する割合は、開始条件が成立した時点での保留記憶の数に関わらずに同じであり、変動パターンの種別がスーパーリーチとなることは、始動入賞時に抽出された各種乱数の値によって既に定まっている。
【００８６】
変動パターンの種別が決定されると、そこからより細かく変動パターンが決定される。ここで、変動パターンの種別が非リーチハズレ、確率変動大当たり、確変昇格大当たりまたは時短大当たりでノーマルリーチの場合に選択される変動パターンは、それぞれ１種類だけである。ノーマルリーチハズレの場合に選択される変動パターンには、飾り図柄のすべりコマ数が異なる複数の変動パターン（１コマ前、１コマ後、２コマ後）がある。
【００８７】
また、スーパーリーチの場合に選択される変動パターンには、確率変動大当たり、確変昇格大当たりまたは時短大当たりとなるときにも出現し得るが、全体としての出現率は非常に小さいレアリーチと、確率変動大当たり、確変昇格大当たりまたは時短大当たりとなるときのみに出現し得るプレミアリーチとがある。図４は、変動パターン選択テーブルを示す図であり、特に、レアリーチとプレミアリーチとの選択に関するものを示すものである。なお、図４の選択割合ａ１、ｂ１、ｂ２は、変動パターンの種別としてスーパーリーチが選択された上での選択割合ではなく、ハズレとなる場合全体、或いは確率変動大当たり、確変昇格大当たりまたは時短大当たりとなる場合全体での選択割合である。
【００８８】
図示するように、レアリーチは、ハズレとなる場合にａ１の割合で選択され、確率変動大当たり、確変昇格大当たりまたは時短大当たりとなる場合にｂ１の割合で選択される。一方、プレミアリーチは、ハズレとなる場合には選択され得ず、確率変動大当たり、確変昇格大当たりまたは時短大当たりとなる場合にｂ２の割合で選択される。
【００８９】
ここで、特図ゲーム全体に対して確率変動大当たり、確変昇格大当たりまたは時短大当たりとなる確率をＸとすると、（１−Ｘ）ａ１＋Ｘｂ１≦Ｘｂ２という関係があり、レアリーチは、確率変動大当たり、確変昇格大当たりまたは時短大当たりとなる場合のみに出現するプレミアリーチ以上に、非常に出現頻度が低い変動パターンとなっている。しかも、レアリーチでハズレとなる場合はその一部であるので、レアリーチの変動パターンとなってハズレとなる場合は、プレミアリーチが出現する頻度よりもさらに頻度が低いものとなっている。
【００９０】
もっとも、レアリーチは、プレミアリーチのように確率変動大当たり、確変昇格大当たりまたは時短大当たりの確定となる変動パターンではないが、他の変動パターンに比べると、確率変動大当たり、確変昇格大当たりまたは時短大当たりとなる確率が非常に高い変動パターンであり、レアリーチとなってハズレとなる確率は、極めて低いものとなっている。
【００９１】
特別図柄表示器１０ａ、１０ｂにおける特別図柄の変動表示の開始条件は、当該変動表示を行わせることとなる始動入賞よりも先の始動入賞に基づく全ての変動表示が終了していることによって成立する（但し、第１、第２大当たり遊技状態に制御されたときには、その終了によって成立する）。従って、保留記憶が全くない状態で始動入賞した場合には、当該始動入賞によって直ちに特別図柄の変動表示の開始条件が成立することとなる。
【００９２】
これに対して、未だ先の始動入賞に基づく変動表示が終了していないときの始動入賞（特定始動入賞とする）によって保留記憶がされていた場合には、特定始動入賞よりも１つだけ先の始動入賞（先始動入賞とする）に基づく特別図柄の変動表示が終了したときに、特定始動入賞に基づく特別図柄の変動表示の開始条件が成立する。このとき、先始動入賞に基づく特別図柄の変動表示の終了後に、遅滞なく特定始動入賞に基づく特別図柄の変動表示が開始されることとなる。
【００９３】
前述したとおり、特別図柄表示器１０ａ、１０ｂにおいて特別図柄が変動表示されるときにおいては、可変表示装置９において飾り図柄が変動表示される。特別図柄表示器１０ａ、１０ｂにおける特別図柄の変動表示は、開始条件の成立によって直ちに開始されるものとなるが、可変表示装置９における飾り図柄の変動表示は、開始条件の成立によって直ちに開始されるのではなく、開始条件の成立から一定の遅延時間（インターバル期間）を経過してから開始されるものとなっている。なお、特別図柄の変動表示は、開始条件が成立してから選択された変動パターンに応じて定められた変動表示時間を経過するまで実行されることとなる。
【００９４】
上記したように、特別図柄表示器１０ａ、１０ｂに第１、第２または第４特定表示結果が導出されると、すなわち確率変動大当たり、確変昇格大当たりまたは時短大当たりが発生すると、第１大当たり遊技状態に制御されるが、この確率変動大当たり、確変昇格大当たりまたは時短大当たりを発生させることとなる始動入賞が発生しても、そのときには先の始動入賞に基づいて特別図柄の（飾り図柄も）変動表示が行われていることもある。この場合は、始動入賞に基づいて変動表示を行う権利（始動入賞時に抽出された各種乱数）が保留記憶されるが、保留記憶されている旨が特別図柄保留記憶表示部１１ａ、１１ｂに表示されて、遊技者に報知されるものとなる。
【００９５】
この特別図柄保留記憶表示部１１ａ、１１ｂへのアイコンの表示、可変表示装置９における飾り図柄の変動表示や大当たり演出は、表示制御基板８０の表示制御用ＣＰＵにより実行されるものとなっている。もっとも、これらのアイコンの表示や各種演出は、遊技の進行状況に沿って行われるものとなるため、上記各種の決定を含む主基板３１のＣＰＵ５６による遊技の進行状況に応じて、ＣＰＵ５６から表示制御基板８０の表示制御用ＣＰＵへと送信されるものとなっている。
【００９６】
すなわち、始動入賞口１４ａまたは１４ｂに遊技球が入賞したときに、このときに抽出された大当たり判定用乱数により大当たりとなるか否か（さらに、大当たり種別乱数により決定される大当たりの種別を含んでいてもよい）、及び変動種別判定用乱数の値により選択される変動パターンの種別、並びに遊技球が入賞した始動入賞口の種類と該始動入賞後の保留記憶数と対応付けた始動入賞コマンドが、主基板３１のＣＰＵ５６から表示制御基板８０の表示制御用ＣＰＵへと送信されるものとなっている。
【００９７】
また、特別図柄表示器１０ａまたは１０ｂにて特別図柄の変動表示を開始させるときに、これを開始させた始動入賞と、この変動表示において大当たりとするか否か及び大当たり種別と、決定された変動パターンとを示す開始時コマンドが、主基板３１のＣＰＵ５６から表示制御基板８０の表示制御用ＣＰＵへと送信されるものとなっている。また、遊技状態が変化したときに、変化した後の遊技状態を示す遊技状態コマンドが、主基板３１のＣＰＵ５６から表示制御基板８０の表示制御用ＣＰＵへと送信されるものとなっている。
【００９８】
また、特別図柄表示器１０ａまたは１０ｂに第１特定表示結果〜第６特定表示結果が導出されて、大当たり遊技状態に制御されたときには、各ラウンドが開始される度に当該ラウンド数を示す大当たりラウンドコマンドが、主基板３１のＣＰＵ５６から表示制御基板８０の表示制御用ＣＰＵへと送信されるものとなっている。各ラウンドが終了したときにも、ラウンドの終了を示すラウンド終了コマンドが、主基板３１のＣＰＵ５６から表示制御基板８０の表示制御用ＣＰＵへと送信されるものとなっている。
【００９９】
さらに、パチンコ遊技機１の電源を立ち上げたときには、前回の電源遮断時のデータがクリアされずにＲＡＭ５５に記憶されていれば該電源遮断時の状態（始動入賞口１４ａ、１４ｂの保留記憶がある場合もあり）から、ＲＡＭ５５がクリアされていれば初期状態（始動入賞口１４ａ、１４ｂの何れの保留記憶の数も０）から、遊技の進行を開始させることとなるが、このときに、始動入賞口１４ａ、１４ｂの保留記憶数と遊技状態とを特定可能な情報を含む起動時コマンドが、主基板３１のＣＰＵ５６から表示制御基板８０の表示制御用ＣＰＵへと送信されるものとなっている。
【０１００】
以下、この実施の形態にかかるパチンコ遊技機１において、表示制御基板８０の表示制御用ＣＰＵにより実行される演出の制御について説明する。表示制御基板８０の表示制御用ＣＰＵは、開始時コマンドを受信すると、後に説明するように飾り図柄の種類を選択し、開始時コマンドが示す変動パターンで飾り図柄を可変表示装置９において変動表示させた後、選択した種類の飾り図柄を可変表示装置９に表示して、変動表示の結果を示すものとしている。
【０１０１】
まず、変動表示の結果として表示される飾り図柄の選択について説明する。前述したように、飾り図柄の変動表示において具体的に表示される飾り図柄の種類は、主基板３１のＣＰＵ５６によって行われた大当たりの決定、大当たり種別の決定、変動パターンの決定に従うことを条件として、表示制御基板８０の表示制御用ＣＰＵが決定するものとなっている。例えば、確率変動大当たりが決定されているときには、最終的に停止される飾り図柄は、３つとも「１」または「７」の同じ図柄となり、確変昇格大当たりまたは時短大当たりが決定されているときには、最終的に停止される飾り図柄は、３つとも「１」または「７」以外の同じ図柄となる。
【０１０２】
確変昇格大当たりまたは時短大当たりでは、最終的に停止される図柄を「１」または「７」以外の同じ図柄としなければならないため、その前提で表示されるリーチ表示態様も「１」または「７」以外の同じ図柄が２つ停止した態様となる。スーパーリーチにおいて再抽選はあっても、そこでの降格はできないため、最終的に停止される図柄を「１」または「７」以外の同じ図柄とするには、リーチ表示態様も「１」または「７」以外の同じ図柄が２つ停止した態様としなければならないからである。
【０１０３】
確率変動大当たりでは、最終的に停止される図柄を「１」または「７」の同じ図柄としなければならないので、再抽選のないノーマルリーチの変動パターンで確率変動大当たり図柄を表示させるためには、その前提で表示されるリーチ表示態様も「１」または「７」の同じ図柄が２つ停止した態様としなければならない。一方、再抽選のあるスーパーリーチでは、「１」または「７」以外の同じ図柄を一旦揃えてから、「１」または「７」の同じ図柄を揃えた態様に変更することができるため、リーチ表示態様は「１」または「７」以外の同じ図柄が２つ停止した態様とすることができる。
【０１０４】
次に、大当たり演出について説明する。大当たり演出は、第１大当たり遊技状態において実行される演出であるが、第１大当たり遊技状態では、前述したように、大入賞口２１を開放状態とするラウンドが１５ラウンド提供される。また、１５ラウンドの全てを消化した後、第１大当たり遊技状態を終了した後の新たな変動表示を開始するまでに、一定のエンディング期間が置かれるものとなっている。大当たり演出は、各ラウンドで行われるラウンド演出と、エンディング期間で行われるエンディング演出とからなる。
【０１０５】
ここで、大当たり演出において可変表示装置９に表示される画像について説明する。図５は、大当たり演出が実行されているときに可変表示装置９に表示される画面の表示例を示す図であり、図５（ａ）は、ラウンド演出の画面を、図５（ｂ）、（ｃ）は、エンディング演出の画面を示す。大当たり演出では、ラウンドとラウンドの間のインターバル期間においてインターバル中であることを示す画面も可変表示装置９に表示されるが、これは、本発明と直接的な関わりがあるものではないので、説明を省略する。
【０１０６】
まず、図５（ａ）に示すように、ラウンド演出の画面では、実行中のラウンド数の表示が行われるとともに、所定の演出を行うためのキャラクタ１００Ａが表示される。図５（ａ）の右側に示すように、ラウンド演出の画面では、キャラクタ１００Ａの代わりに、キャラクタ１００Ｂ〜１００Ｈの何れか１つが演出を行うためのキャラクタとして選択されるものとなるが、このキャラクタの種類の選択については、後述する。
【０１０７】
また、エンディング演出の画面には、図５（ｂ）に示すノーマルエンディング演出の画面と、図５（ｃ）に示すスペシャルエンディング演出の画面とがある。表示制御基板８０の表示制御用ＣＰＵは、主基板３１のＣＰＵから送信されたラウンド終了コマンドを受信したときに、図５（ｂ）に示すノーマルエンディングの画面と図５（ｃ）に示すスペシャルエンディングの画面の何れかを選択するが、その選択については、後述する。
【０１０８】
次に、ラウンド演出におけるキャラクタの選択について説明する。図６（ａ）は、ラウンド演出におけるキャラクタ選択テーブルを示す図であり、表示制御基板８０の表示制御用ＣＰＵは、主基板３１のＣＰＵ５６から送信された大当たりラウンドコマンドを受信したときに、このキャラクタ選択テーブルに従って、当該ラウンドのラウンド演出に登場させるキャラクタをキャラクタ１００Ａ〜１００Ｈの中から選択する。
【０１０９】
図示するように、キャラクタ１００Ａ〜１００Ｈの選択は、後述する条件成立フラグ８０１の特図Ａフラグがセットされている場合（突確フラグがセットされている場合および／またはレアリーチフラグがセットされている場合を含む）、突確フラグがセットされている場合（レアリーチフラグがセットされている場合を含む）、レアリーチフラグがセットされている場合、特図Ａフラグ、突確フラグ及びレアリーチフラグの何れもセットされていないかの区分に従って、その選択割合を異ならせている。
【０１１０】
特図Ａフラグがセットされている場合には、キャラクタ１００Ａとキャラクタ１００Ｂがそれぞれα１の割合で選択され、キャラクタ１００Ｃ〜キャラクタ１００Ｈがそれぞれα２の割合で選択される。突確フラグがセットされている場合には、キャラクタ１００Ａとキャラクタ１００Ｂがそれぞれβ１の割合で選択され、キャラクタ１００Ｃ〜キャラクタ１００Ｈがそれぞれβ２の割合で選択される。レアリーチフラグがセットされている場合には、キャラクタ１００Ａとキャラクタ１００Ｂがそれぞれγ１の割合で選択され、キャラクタ１００Ｃ〜キャラクタ１００Ｈがそれぞれγ２の割合で選択される。特図Ａフラグ、突確フラグ及びレアリーチフラグの何れもセットされていない場合には、キャラクタ１００Ａとキャラクタ１００Ｂがそれぞれδ１の割合で選択され、キャラクタ１００Ｃ〜キャラクタ１００Ｈがそれぞれδ２の割合で選択される。
【０１１１】
ここで、２α１＋６α２＝２β１＋６β２＝２γ１＋６γ２＝２δ１＋６δ２＝１であり、キャラクタ１００Ａ〜１００Ｈの何れかが必ず選択される。また、α１＜β１＜γ１＜δ１（言い換えれば、α２＞β２＞γ２＞δ２）という関係があり、特図Ａフラグがセットされているときが最もキャラクタ１００Ｃ〜１００Ｈの選択割合が高く、突確フラグがセットされているときが次にキャラクタ１００Ｃ〜１００Ｈの選択割合が高く、レアリーチフラグがセットされているときが次にキャラクタ１００Ｃ〜１００Ｈの選択割合が高くなっている。
【０１１２】
そして、特図Ａフラグ、突確フラグ及びレアリーチフラグの何れもセットされていないときが最もキャラクタ１００Ｃ〜１００Ｈの選択割合が低いものとなっている。特図Ａフラグ、突確フラグ及びレアリーチフラグの何れもセットされていないときのキャラクタ１００Ｃ〜１００Ｈの選択割合δ２は、２％前後程度であり、大当たり演出全体を終了するまでにキャラクタ１００Ｃ〜１００Ｈが現れるラウンド数の期待値は、１〜２程度しかない。
【０１１３】
なお、キャラクタ１００Ｃ〜キャラクタ１００Ｈの選択については、ラウンド演出実行済フラグ８００がセットされている種類のキャラクタが選択されたときであって、キャラクタ１００Ｃ〜キャラクタ１００Ｈの全てがセットされている訳ではないときには、フラグがセットされていない次順番の種類のキャラクタの選択に切り替えられる。例えば、キャラクタ選択テーブルによる選択ではキャラクタ１００Ｃの選択となったが、キャラクタ１００Ｃに対応するラウンド演出実行済フラグ８００がセットされている場合には、キャラクタ１００Ｄの選択に切り替えられる。キャラクタ１００Ｈの選択となったが、キャラクタ１００Ｈとキャラクタ１００Ｃに対応するラウンド演出実行済フラグ８００がセットされている場合には、キャラクタ１００Ｄの選択に切り替えられる。
【０１１４】
次に、ラウンド演出実行済フラグ８００と条件成立フラグ８０１の詳細について説明する。図６（ｂ）は、ラウンド演出実行済フラグ８００と条件成立フラグ８０１とを示す図であり、その記憶領域は、表示制御基板８０のＲＡＭに設けられている。ラウンド演出実行済フラグ８００と条件成立フラグ８０１の各々のフラグは、何れも確率変動大当たり、確変昇格大当たりまたは突然確変大当たりが発生した（確率変動状態に制御されることが確定した）後、確率変動状態に制御されている限りにおいて、各々の条件が成立するとセットされるフラグである。時短大当たりが発生すると（確率変動状態が終了することが確定すると）、ラウンド演出実行済フラグ８００と条件成立フラグ８０１の各々のフラグは全てリセットされる。
【０１１５】
ラウンド演出実行済フラグ８００は、ラウンド演出において選択可能なキャラクタ１００Ａ〜１００Ｈの各々に対応する８ビットのフラグを含んでおり、例えば、何れも確率変動大当たり、確変昇格大当たりまたは突然確変大当たりが最初に発生してから時短大当たりが発生するまでの期間における各ラウンドのラウンド演出で選択されたキャラクタの種類に従って、対応するビットがセットされる。例えば、キャラクタ１００Ｃが選択されると、ラウンド演出実行済フラグ８００のキャラクタ１００Ｃに対応したビットがセットされる。
【０１１６】
条件成立フラグ８０１は、特別図柄表示器１０ａでの特図ゲームで確率変動大当たり、確変昇格大当たりまたは突然確変大当たりが発生したときにセットされる特図Ａフラグと、突然確変大当たりが発生したときにセットされる突確フラグと、レアリーチでハズレとなったときにセットされるレアリーチフラグとを含む。なお、確率変動状態に制御されていない状態において特別図柄表示器１０ａでの特図ゲームで大当たりが発生しても特図Ａフラグはセットされず、突然確変大当たりが発生しても突確フラグはセットされない。条件成立フラグ８０１は、あくまで確率変動状態に制御されていることを条件としてセットされるフラグである。
【０１１７】
次に、エンディング演出の選択について説明する。図７は、大当たり演出におけるエンディング演出選択テーブルを示す図である。前述したように、表示制御基板８０の表示制御用ＣＰＵは、図５（ｂ）のノーマルエンディング画面と図５（ｃ）のスペシャルエンディング画面の何れかを選択してエンディング演出の画面を可変表示装置９に表示させるが、このエンディング画面の選択は、図７のエンディング演出選択テーブルに従って行われるものである。
【０１１８】
図示するように、ラウンド演出実行済フラグ８００のうちのキャラクタ１００Ｃ〜１００Ｈに対応するフラグの全てがセットされている場合には、ノーマルエンディング画面がＭの割合で、スペシャルエンディング画面がＮの割合で選択される。ここで、Ｍ＋Ｎ＝１、Ｍ＜Ｎであるが、Ｍ＝０としてもよい（即ち、ラウンド演出実行済フラグ８００のうちのキャラクタ１００Ｃ〜１００Ｈに対応するフラグの全てがセットされている場合には、全てスペシャルエンディング画面となるようにしてもよい）。一方、ラウンド演出実行済フラグ８００のうちのキャラクタ１００Ｃ〜１００Ｈに対応するフラグのうちに１つでもセットされていないフラグが含まれていれば、ノーマルエンディング画面だけが選択され、スペシャルエンディング画面が選択されることはない。
【０１１９】
以下、この実施の形態にかかるパチンコ遊技機１において遊技の進行のために行われる処理について説明する。まず、電源起動時の処理について説明する。リセットスイッチ９３をＯＮ状態とした状態でメインスイッチ９４をＯＮ状態としてパチンコ遊技機１を起動すると、ＲＡＭ５５の格納領域のうち使用中スタック領域を除く全ての格納領域を初期化する。ここで、ＲＡＭ５５が初期化されたときには、確率変動状態にも時短状態にも制御されていない遊技状態となる。そして、遊技を進行させるための処理を開始させることができる。
【０１２０】
一方、リセットスイッチ９３をＯＦＦ状態でメインスイッチ９４をＯＮ状態としてパチンコ遊技機１を起動した場合は、ＲＡＭ５５のデータが壊れているかどうかを診断し、ＲＡＭ５５のデータが壊れていなかった場合、すなわち前回のパチンコ遊技機１の電源をＯＦＦしたときのデータが正常なままで残っている場合には、ＲＡＭ５５に記憶されているデータはそのままとして、前回にパチンコ遊技機１の電源をＯＦＦしたときの状態から、遊技を進行させるための処理を開始させることができる。
【０１２１】
パチンコ遊技機１において遊技を進行させるための処理は、２ｍｓ毎に実行されるタイマ割り込みに従って実行される。なお、打球操作ハンドル５の操作に基づく遊技領域７への遊技球の発射だけは、２ｍｓ毎のタイマ割り込み処理とは独立して行われるものとなっている。
【０１２２】
図８は、ＣＰＵ５６が実行するメイン処理にて２ｍｓ毎に実行されるタイマ割込処理を示すフローチャートである。タイマ割込が発生すると、ＣＰＵ５６は、レジスタの退避処理（ステップＳ２１）を行った後、ステップＳ２２〜Ｓ３６の遊技制御処理を実行する。遊技制御処理において、ＣＰＵ５６は、まず、スイッチ回路３２を介して、ゲートスイッチ６１、始動口スイッチ６２ａ、６２ｂ、カウントスイッチ６３、クリアスイッチ６５、等のスイッチの検出信号を入力し、それらの状態を判定するスイッチ処理を行う（ステップＳ２２）。
【０１２３】
次に、遊技制御に用いられる大当たり判定用の乱数、大当たり種別判定用乱数、確率変動終了判定用乱数等の各判定用乱数を生成するための各カウンタのカウント値を更新する処理を行う（ステップＳ２３）。ＣＰＵ５６は、更に、初期値用乱数を生成するためのカウンタのカウント値を更新する処理（ステップＳ２４）及び表示用乱数を生成するためのカウンタのカウント値を更新する処理を行う（ステップＳ２５）。
【０１２４】
更に、ＣＰＵ５６は、特別図柄プロセス処理を行う（ステップＳ２６）。特別図柄プロセス処理では、遊技状態に応じて特別図柄表示器１０ａ、１０ｂ、可変表示装置９、特別可変入賞装置２０、等を所定の順序で制御するための特別図柄プロセスフラグに従って該当する処理が選び出されて実行される。そして、特別図柄プロセスフラグの値は、遊技状態に応じて各処理中に更新される。
【０１２５】
また、普通図柄プロセス処理を行う（ステップＳ２７）。普通図柄プロセス処理では、普通図柄表示器１２の表示状態を所定の順序で制御するための普通図柄プロセスフラグに従って該当する処理が選び出されて実行される。そして、普通図柄プロセスフラグの値は、遊技状態に応じて各処理中に更新される。普通図柄プロセス処理を実行することにより普通図柄表示器１２の表示制御および可変入賞装置１５の開閉制御が実行される。
【０１２６】
次いで、ＣＰＵ５６は、特別図柄プロセス処理でＲＡＭ５５の所定の領域に設定され、可変表示装置９等において各種演出を行うためのコマンドを表示制御基板８０に送出する特別図柄コマンド制御処理を行う（ステップＳ２８）。また、普通図柄プロセス処理でＲＡＭ５５の所定の領域に設定された普通図柄に関するコマンドを送出する普通図柄コマンド制御処理を行う（ステップＳ２９）。
【０１２７】
更に、ＣＰＵ５６は、例えばホール管理用コンピュータに供給される大当たり情報、始動情報、確率変動情報などのデータを出力する情報出力処理を行う（ステップＳ３０）。
【０１２８】
また、ＣＰＵ５６は、始動口スイッチ６２ａ、６２ｂ、カウントスイッチ６３等の検出信号に基づく賞球個数の設定などを行う賞球処理を実行する（ステップＳ３１）。具体的には、始動口スイッチ６２ａ、６２ｂ、カウントスイッチ６３等の何れかがオンしたことに基づく入賞検出に応じて、払出制御基板３６に賞球個数を示す払出制御コマンドを出力する。払出制御基板３６に搭載されている払出制御用ＣＰＵは、賞球個数を示す払出制御コマンドに応じて球払出装置４４を駆動する。
【０１２９】
そして、ＣＰＵ５６は、保留記憶数の増減をチェックする記憶処理を実行する（ステップＳ３２）。記憶処理においては、始動口スイッチ６２ａ、６２ｂの検出信号に基づいて大当たり判定用乱数等の各種乱数を抽出し、抽出した乱数の値を始動口スイッチ６２ａ、６２ｂの別に保留記憶させる。また、抽出した各種乱数の値等を示すコマンドを送出する処理も行う。
【０１３０】
また、遊技機の制御状態を遊技機外部で確認できるようにするための試験信号を出力する処理である試験端子処理を実行する（ステップＳ３３）。更に、所定の条件が成立したときにソレノイド回路３３に駆動指令を行う（ステップＳ３４）。可変入賞装置１５、特別可変入賞装置２０、を開放状態または閉鎖状態としたり、大入賞口２１内の遊技球通路を切り替えたりするために、ソレノイド回路３３は、駆動指令に応じてソレノイド７１〜７３を駆動する。その後、レジスタの内容を復帰させ（ステップＳ３５）、割込許可状態に設定する（ステップＳ３６）。
【０１３１】
次に、ステップＳ２６の特別図柄プロセス処理について説明する。特別図柄プロセス処理では、ＣＰＵ５６は、まず、遊技盤６に設けられている始動入賞口１４ａ、１４ｂに遊技球が入賞したことを検出するための始動口スイッチ６２がオンしているかどうか、すなわち遊技球が始動入賞口１４ａ、１４ｂに入賞する始動入賞が発生しているかどうかを判定し、始動入賞が発生していたら始動口スイッチ通過処理を行う。始動口スイッチ通過処理では、大当たり判定用乱数、大当たり種別判定用乱数、変動種別判定用乱数、変動パターン判定用乱数、及び確率変動終了判定用乱数を抽出して始動入賞口１４ａ、１４ｂの各々に対応する保留記憶バッファに記憶させる（但し、保留記憶バッファが満杯のときは、抽出した乱数を破棄する）とともに、抽出した乱数の値と遊技球が入賞した始動入賞口の種類を始動入賞毎の識別情報と対応付けたコマンドを表示制御基板８０へと送信する。
【０１３２】
その後、特別図柄プロセスフラグの状態に応じて、次に説明する特別図柄通常処理、変動パターン設定処理、演出設定処理、特別図柄変動処理、特別図柄停止処理、大入賞口開放前処理、大入賞口開放中処理、大当たり終了処理の何れかの処理を行う。
【０１３３】
特別図柄通常処理：特別図柄の変動表示を開始できる状態になると開始される処理であり、ＣＰＵ５６は、保留記憶バッファに記憶される数値データの記憶数（保留記憶数）を確認する。保留記憶カウンタのカウント値が０でなければ、確率変動状態に制御されていれば確率変動終了判定用乱数の値に基づいて確率変動状態を終了させるか否か、大当たり判定用乱数の値に基づいて大当たりとするか否か（特定表示結果とするか否か）を決定し、大当たりとする場合には、確変回数カウンタの値と大当たり種別判定用乱数の値に基づいて大当たりの種別も決定する。始動入賞口１４ａ、１４ｂの何れについても保留記憶カウンタの値が０でないときには、始動入賞口１４ｂの保留記憶から優先して大当たり等の決定が行われる。なお、特別図柄通常処理の詳細については後述する。
【０１３４】
変動パターン設定処理：特別図柄表示器１０ａ、１０ｂにおける特別図柄の変動パターン種別を、始動入賞時に抽出した変動種別判定用乱数の値と保留記憶の数とに応じて選択する。そして、選択した変動パターンの種別と始動入賞発生時に抽出した変動パターン判定用乱数の値に応じて予め定められた複数種類の変動パターンの中から選択する。決定された変動パターンと時短状態に制御されているか否かに基づいて、特別図柄の変動時間を特別図柄プロセスタイマ（ダウンタイマにより構成される）にセットした後、特別図柄プロセスタイマをスタートさせる。このとき、特別図柄表示器１０ａまたは１０ｂに特別図柄の変動表示開始を指示する信号を出力するとともに、選択した変動パターンを示すコマンドと大当たりとするか否か及び大当たり種別を示すコマンドとを、直後の特別図柄コマンド制御処理（ステップＳ２８）で表示制御基板８０に対して送信される状態に設定する。
【０１３５】
特別図柄変動処理：変動パターン設定処理で選択された変動パターンに応じて変動時間のセットされた特別図柄プロセスタイマの計時時間を監視し、当該変動時間が経過して特別図柄プロセスタイマがタイムアウトすると、次に特別図柄停止処理に移行させるよう制御を行う。
【０１３６】
特別図柄停止処理：特別図柄表示器１０ａ、１０ｂにて変動表示する特別図柄の変動表示を停止するとともに、時短状態に制御されているときには、時短状態での変動表示が実行された回数をカウントし、１００回となっていたならば時短状態を終了させる。また、特別図柄の停止を示す信号を特別図柄表示器１０ａ、１０ｂに出力される状態に設定するとともに、図柄の停止を示すコマンドを、直後の特別図柄コマンド制御処理（ステップＳ２８）で表示制御基板８０に送信される状態に設定する。
【０１３７】
大入賞口開放前処理：大当たり後に最初にこの処理が行われるときには大入賞口２１のラウンド数を設定し、ラウンド数表示器１９にラウンド数を表示させた後、大入賞口２１を開放する制御を開始する。具体的には、ソレノイド７２を駆動して大入賞口２１を開放状態として特別可変入賞装置２０を開放状態とする。また、大入賞口２１の開放されたラウンド数をカウントすると共に、開放タイマによって大入賞口開放中処理の実行時間を設定する。
【０１３８】
大入賞口開放中処理：第１大当たり遊技状態中および第２大当たり遊技状態中のラウンド表示のためのコマンド（ラウンドの開始時におけるラウンド数を示すコマンド、及び各ラウンドの終了を示すコマンド）を、直後の特別図柄コマンド制御処理（ステップＳ２８）で表示制御基板８０に送信される状態に設定する処理や、大入賞口２１の閉成条件の成立を確認する処理等を行う。
【０１３９】
大当たり終了処理：第１大当たり遊技状態または第２大当たり遊技状態が終了したことを示すコマンドを、直後の特別図柄コマンド制御処理（ステップＳ２８）で表示制御基板８０に送信される状態に設定する。
【０１４０】
一方、表示制御基板８０などのサブ側の各種基板においては、主基板３１の基本回路５３から送信されたコマンドに基づいて、特別図柄の変動表示に合わせて可変表示装置９において飾り図柄を変動表示させる処理、或いは第１大当たり遊技状態に制御されているときに大当たり演出を実行する処理を行う。図９は、表示制御基板８０の表示制御用ＣＰＵが実行するメイン処理を示すフローチャートである。
【０１４１】
このメイン処理では、まず、表示制御基板８０に搭載された表示制御用マイクロコンピュータに含まれるＲＡＭのうちで必要な領域を初期化する初期化処理を行う（ステップＳ７０１）。次に、所定時間（例えば３３ｍｓ（可変表示装置９の１フレーム期間））毎に実行されるタイマ割り込み処理によってセットされるタイマ割り込みフラグの状態が１となっているかどうかを判定し（ステップＳ７０２）、タイマ割り込みフラグの状態が１となるまでステップＳ７０２の処理を繰り返して行う。
【０１４２】
タイマ割り込みフラグの状態が１となっている後、まず、このタイマ割り込みフラグを０にクリアし（ステップＳ７０３）、主基板３１の基本回路５３から送信されたコマンドを受信したかどうかをチェックし、コマンドを受信している場合には、その内容を解析するコマンド解析処理を実行する（ステップＳ７０４）。
【０１４３】
次に、コマンド解析処理におけるコマンドの解析結果に基づいて、可変表示装置９において飾り図柄を変動表示させたり、大当たり演出を実行させたりする演出制御プロセス処理を実行する（ステップＳ７０５）。また、コマンドの解析結果に基づいて、飾り図柄の変動表示や大当たり演出以外の各種演出（リーチ予告など）を実行させる予告制御プロセス処理を実行する（ステップＳ７０６）。さらに、予告態様判定用乱数などの乱数を更新する乱数更新処理を実行して（ステップＳ７０７）、ステップＳ７０２の処理に戻る。
【０１４４】
以下、この実施の形態にかかるパチンコ遊技機１において連チャン中に実行される大当たり演出について、具体的な例に基づいて説明する。図１０、図１１は、連チャン中の大当たり演出の具体的な実行例を示す図である。なお、図１０、図１１において、ラウンド演出実行済フラグ８００としてはキャラクタ１００Ａ〜１００Ｈの各々に対応するフラグを示しているが、条件成立フラグ８０１として示しているのは、突確フラグのみとする。
【０１４５】
図１０に示す第１の例では、確率変動状態に制御されていない状態で確率変動大当たりが発生し、その後２回の大当たりが何れも確率変動大当たりとなった場合を示す。この第１の例では、図１０（ａ）に示すように、確率変動状態に制御されていない状態（この状態で、ラウンド演出実行済フラグ８００と条件成立フラグ８０１は全てリセットされている）で、確率変動大当たりが発生したものとする。ここで、確率変動状態に制御されることが確定するので、ラウンド演出実行済フラグ８００と条件成立フラグ８０１を条件成立に応じてセットさせることが可能となる。
【０１４６】
図１０（ａ）の確率変動大当たりに基づく大当たり演出が開始される。ここでの大当たり演出での各ラウンド演出では、条件成立フラグ８０１は何れもセットされていないので、キャラクタ１００Ａ、１００Ｂの選択割合が非常に高いものとなる。図１０（ｂ）に示すように、キャラクタ１００Ａが選択されて第１ラウンドのラウンド演出が実行されたものとする。ラウンド演出実行済フラグ８００のうちのキャラクタ１００Ａに対応するフラグがセットされる。
【０１４７】
その後、第１４ラウンドまでにキャラクタ１００Ｂ、キャラクタ１００Ｇが選択されたラウンド演出が実行された後、図１０（ｃ）に示すように、キャラクタ１００Ｅが選択されて第１５ラウンドのラウンド演出が実行されたものとする。ここで、ラウンド演出実行済フラグ８００のうちのキャラクタ１００Ｅに対応するフラグがセットされ、ラウンド演出実行済フラグ８００は、キャラクタ１００Ａ、１００Ｂ、１００Ｅ、１００Ｇに対応するフラグがセットされた状態となる。
【０１４８】
次に、図１０（ｃ）の第１５ラウンドのラウンド演出が終了すると、エンディング演出が実行されることとなる。ここで、ラウンド演出実行済フラグ８００は、キャラクタ１００Ａ、１００Ｂ、１００Ｅ、１００Ｇに対応するフラグがセットされた状態で、キャラクタ１００Ｃ、１００Ｄ、１００Ｆ、１００Ｈに対応するフラグがセットされていないので、図１０（ｄ）に示すように、ここでのエンディング演出は、ノーマルエンディング演出の画面が表示されて行われる。
【０１４９】
図１０（ｄ）のラウンド演出が終了すると、確率変動状態は継続したまま新たな変動表示が開始されるが、図１０（ｅ）に示すように、そこで発生した大当たりが確率変動大当たりとなったものとする。図１０（ｅ）に示す確率変動大当たりに基づく大当たり演出でも、条件成立フラグ８０１は何れもセットされていないので、キャラクタ１００Ａ、１００Ｂの選択割合が非常に高いものとなる。
【０１５０】
第７ラウンドまではキャラクタ１００Ａまたはキャラクタ１００Ｂが選択され、図１０（ｆ）に示すように、第８ラウンドでキャラクタ１００Ｄが選択されてラウンド演出が実行されると、ラウンド演出実行済フラグ８００のうちのキャラクタ１００Ｄに対応するフラグがセットされる。その後、第９ラウンドから第１５ラウンドまでキャラクタ１００Ａまたはキャラクタ１００Ｂが選択されたものとすると、ラウンド演出実行済フラグ８００は、キャラクタ１００Ａ、１００Ｂ、１００Ｄ、１００Ｅ、１００Ｇに対応するフラグがセットされた状態となる。
【０１５１】
次に、第１５ラウンドのラウンド演出が終了すると、エンディング演出が実行されることとなる。ここで、ラウンド演出実行済フラグ８００は、キャラクタ１００Ａ、１００Ｂ、１００Ｄ、１００Ｅ、１００Ｇに対応するフラグがセットされた状態で、キャラクタ１００Ｃ、１００Ｆ、１００Ｈに対応するフラグがセットされていないので、図１０（ｇ）に示すように、ここでのエンディング演出は、ノーマルエンディング演出の画面が表示されて行われる。
【０１５２】
図１０（ｇ）のラウンド演出が終了すると、確率変動状態は継続したまま新たな変動表示が開始されるが、図１０（ｈ）に示すように、そこで発生した大当たりが確率変動大当たりとなったものとする。図１０（ｈ）に示す確率変動大当たりに基づく大当たり演出でも、条件成立フラグ８０１は何れもセットされていないので、キャラクタ１００Ａ、１００Ｂの選択割合が非常に高いものとなる。
【０１５３】
第４ラウンドまではキャラクタ１００Ａまたはキャラクタ１００Ｂが選択され、図１０（ｉ）に示すように、第５ラウンドでキャラクタ１００Ｆが選択されてラウンド演出が実行されると、ラウンド演出実行済フラグ８００のうちのキャラクタ１００Ｆに対応するフラグがセットされる。その後、第６ラウンドから第１４ラウンドまでキャラクタ１００Ａまたはキャラクタ１００Ｂが選択され、図１０（ｊ）に示すように、第１５ラウンドでキャラクタ１００Ｃが選択されてラウンド演出が実行されると、ラウンド演出実行済フラグ８００のうちのキャラクタ１００Ｃに対応するフラグがセットされる。この時点で、ラウンド演出実行済フラグ８００は、キャラクタ１００Ａ、１００Ｂ、１００Ｃ、１００Ｄ、１００Ｅ、１００Ｆ、１００Ｇに対応するフラグがセットされた状態となる。
【０１５４】
次に、図１０（ｊ）の第１５ラウンドのラウンド演出が終了すると、エンディング演出が実行されることとなる。ここで、ラウンド演出実行済フラグ８００は、キャラクタ１００Ａ、１００Ｂ、１００Ｃ、１００Ｄ、１００Ｅ、１００Ｆ、１００Ｇに対応するフラグがセットされた状態で、未だキャラクタ１００Ｈに対応するフラグがセットされていないので、図１０（ｋ）に示すように、ここでのエンディング演出は、ノーマルエンディング演出の画面が表示されて行われる。
【０１５５】
図１１に示す第２の例では、確率変動状態に制御されていない状態で確率変動大当たりが発生し、その後２回の大当たりが突然確変大当たり、確率変動大当たりとなった場合を示す。図１１（ａ）に示すように、確率変動状態に制御されていない状態（この状態で、ラウンド演出実行済フラグ８００と条件成立フラグ８０１は全てリセットされている）で、確率変動大当たりが発生したものとする。ここで、確率変動状態に制御されることが確定するので、ラウンド演出実行済フラグ８００と条件成立フラグ８０１を条件成立に応じてセットさせることが可能となる。
【０１５６】
図１１（ａ）の確率変動大当たりに基づく大当たり演出が開始される。ここでの大当たり演出での各ラウンド演出では、条件成立フラグ８０１は何れもセットされていないので、キャラクタ１００Ａ、１００Ｂの選択割合が非常に高いものとなる。図１１（ｂ）に示すように、キャラクタ１００Ａが選択されて第１ラウンドのラウンド演出が実行されたものとする。ラウンド演出実行済フラグ８００のうちのキャラクタ１００Ａに対応するフラグがセットされる。
【０１５７】
その後、第１４ラウンドまでにキャラクタ１００Ｂ、キャラクタ１００Ｇが選択されたラウンド演出が実行された後、図１１（ｃ）に示すように、キャラクタ１００Ｅが選択されて第１５ラウンドのラウンド演出が実行されたものとする。ここで、ラウンド演出実行済フラグ８００のうちのキャラクタ１００Ｅに対応するフラグがセットされ、ラウンド演出実行済フラグ８００は、キャラクタ１００Ａ、１００Ｂ、１００Ｅ、１００Ｇに対応するフラグがセットされた状態となる。
【０１５８】
次に、図１１（ｃ）の第１５ラウンドのラウンド演出が終了すると、エンディング演出が実行されることとなる。ここで、ラウンド演出実行済フラグ８００は、キャラクタ１００Ａ、１００Ｂ、１００Ｅ、１００Ｇに対応するフラグがセットされた状態で、キャラクタ１００Ｃ、１００Ｄ、１００Ｆ、１００Ｈに対応するフラグがセットされていないので、図１１（ｄ）に示すように、ここでのエンディング演出は、ノーマルエンディング演出の画面が表示されて行われる。
【０１５９】
図１１（ｄ）のラウンド演出が終了すると、遊技状態が確率変動状態に制御されて新たな変動表示が開始されるが、図１１（ｅ）に示すように、そこで発生した大当たりが突然確変大当たりとなったものとする。突然確変大当たりであるので、大当たり演出が行われることはない。ここで、条件成立フラグ８０１のうちの突確フラグがセットされるものとなる。
【０１６０】
図１１（ｅ）の突然確変大当たりの後に、確率変動状態は継続したまま新たな変動表示が開始されるが、図１１（ｆ）に示すように、そこで発生した大当たりが確率変動大当たりとなったものとする。図１１（ｆ）に示す確率変動大当たりに基づく大当たり演出でも、条件成立フラグ８０１のうちの突確フラグがセットされているので、キャラクタ１００Ｃ〜１００Ｈの選択割合が高まるものとなる。
【０１６１】
第１ラウンドではキャラクタ１００Ａまたはキャラクタ１００Ｂが選択された後、図１１（ｇ）に示すように、第２ラウンドでキャラクタ１００Ｃが選択されてラウンド演出が実行されると、ラウンド演出実行済フラグ８００のうちのキャラクタ１００Ｃに対応するフラグがセットされる。第３ラウンドから第５ラウンドまでキャラクタ１００Ａまたはキャラクタ１００Ｂが選択された後、図１１（ｈ）に示すように、第６ラウンドでキャラクタ１００Ｄが選択されてラウンド演出が実行されると、ラウンド演出実行済フラグ８００のうちのキャラクタ１００Ｄに対応するフラグがセットされる。
【０１６２】
第７ラウンドから第１０ラウンドまでキャラクタ１００Ａまたはキャラクタ１００Ｂが選択された後、図１１（ｉ）に示すように、第１１ラウンドでキャラクタ１００Ｈが選択されてラウンド演出が実行されると、ラウンド演出実行済フラグ８００のうちのキャラクタ１００Ｈに対応するフラグがセットされる。第１２ラウンドから第１４ラウンドまでキャラクタ１００Ａまたはキャラクタ１００Ｂが選択された後、図１１（ｊ）に示すように、第１５ラウンドでキャラクタ１００Ｆが選択されてラウンド演出が実行されると、ラウンド演出実行済フラグ８００のうちのキャラクタ１００Ｆに対応するフラグがセットされる。
【０１６３】
次に、図１１（ｊ）の第１５ラウンドのラウンド演出が終了すると、エンディング演出が実行されることとなる。ここで、ラウンド演出実行済フラグ８００は、キャラクタ１００Ａ、１００Ｂ、１００Ｃ、１００Ｄ、１００Ｅ、１００Ｆ、１００Ｇ、１００Ｈに対応する全てのフラグがセットされており、確率変動状態に制御されることが確定してからキャラクタ１００Ｃ〜１００Ｈの全てによるラウンド演出が行われたこととなるので、スペシャルエンディング画面を選択可能となる。そして、スペシャルエンディング画面が選択されると、図１１（ｋ）に示すように、ここでのエンディング演出は、スペシャルエンディング演出の画面が表示されて行われる。
【０１６４】
以上説明したように、この実施の形態にかかるパチンコ遊技機１では、第１大当たり遊技状態または第２大当たり遊技状態に制御されていないときには、始動入賞口１４ａ、１４ｂの始動入賞に基づいて特別図柄表示器１０ａ、１０ｂにおいて特別図柄の変動表示が行われ、これに合わせて可変表示装置９において飾り図柄の変動表示が行われる。これらの変動表示の結果に応じて確率変動大当たり、確変昇格大当たりまたは時短大当たりが発生すると、第１大当たり遊技状態に制御される。また、変動表示の結果に応じて確率変動大当たり、確変昇格大当たりまたは突然確変大当たりが発生すると、第１大当たり遊技状態または第２大当たり遊技状態の終了後に確率変動状態に制御される。
【０１６５】
確率変動状態に制御されている場合には比較的高い確率で大当たりが発生することとなるので、第１大当たり遊技状態または第２大当たり遊技状態の終了後に行われた変動表示の回数が比較的少ない時点で再び第１大当たり遊技状態または第２大当たり遊技状態に制御され、実質的に遊技者にとって有利な状態が継続していると言える状態となる。第１大当たり遊技状態に制御されている間には、可変表示装置９において大当たり演出が行われるが、この大当たり演出には、第１大当たり遊技状態の各ラウンドで実行されるラウンド演出と、１５ラウンド全てを終了した後に行われるエンディング演出とが含まれる。
【０１６６】
ラウンド演出は、キャラクタ１００Ａ〜１００Ｈのうちから何れかのキャラクタが選択されて実行される。また、エンディング演出は、ノーマルエンディング画面とスペシャルエンディング画面の何れかが可変表示装置９に表示されて実行されるが、スペシャルエンディング画面は、ラウンド演出実行済フラグ８００のうちのキャラクタ１００Ｃ〜１００Ｈに対応する全てのフラグがセットされているときに限って、選択することが可能なものとなっている。
【０１６７】
ラウンド演出実行済フラグ８００に含まれる各フラグは、確率変動状態に制御されることが確定した（即ち、確率変動状態に制御されていない状態で確率変動大当たり、確変昇格大当たりまたは突然確変大当たりが発生した）ときから、当該確率変動状態が継続している限りの期間においてセットすることができ、時短大当たりが発生したとき（即ち、確率変動状態が終了させられるとき）にリセットされる。
【０１６８】
このように大当たり演出のエンディング演出におけるスペシャルエンディング画面は、確率変動状態が継続している限りにおいて、それまでに実行された大当たり演出のラウンド演出との関係において実行されるものとなるため、ラウンド演出とエンディング演出との関連性が高いものとなる。しかも、エンディング演出と関係しているラウンド演出は、当該エンディング演出と同じ大当たり演出におけるものだけに限らず、確率変動状態が終了させられていない限り、それよりも前の大当たり演出のラウンド演出も含んでいる。このため、遊技全体を長い目で見ての演出の面白みを生じさせることができ、遊技の興趣を向上させることができる。
【０１６９】
また、スペシャルエンディング画面は、ラウンド演出実行済フラグ８００のキャラクタ１００Ｃ〜１００Ｈの全てに対応するフラグがセットされていることを条件に選択され得るが、ラウンド演出におけるキャラクタ１００Ａ〜１００Ｈの選択は、如何なる場合も同じ条件で行われる訳ではない。即ち、条件成立フラグ８０１に含まれる特図Ａフラグのセット、突確フラグのセット、レアリーチフラグのセットという特別条件が成立しているときには、これら何れのフラグもセットされていない場合よりも高い選択割合で、ラウンド演出においてキャラクタ１００Ｃ〜１００Ｈが選択されるものとなっている。
【０１７０】
もっとも、これはあくまで選択割合の問題であって、特図Ａフラグ、突確フラグ、或いはレアリーチフラグがセットされているときでもキャラクタ１００Ｃ〜１００Ｈが選択されないことも、特図Ａフラグ、突確フラグ、及びレアリーチフラグの何れもセットされていないときでもキャラクタ１００Ｃ〜１００Ｈが選択されることもある。このようにスペシャルエンディング画面が表示されることとなる条件が単純なものでないため、エンディング演出においてスペシャルエンディング画面が表示されるか否かに対する遊技者の興味を増大させることができる。
【０１７１】
また、ラウンド演出実行済フラグ８００は、確率変動状態に制御されることが確定したときからセットすることが可能となり、時短大当たりが発生したときに全てリセットされる。確率変動状態に制御されることが確定したときから時短大当たりが発生するまでの期間とは、第１大当たり遊技状態または第２大当たり遊技状態に制御されているか、確率変動状態に制御されている期間であり、遊技者にとって有利な状態が続いている期間であると言える。この期間を対象としてラウンド実行済フラグ８００をセット可能にすることで、遊技者にとって有利な状態が継続している間に実行されたラウンド演出全てを、スペシャルエンディング画面を表示させるか否かの判断基準とすることができ、遊技者にとって有利な状態が継続している間全体の演出に対して、遊技者の関心を継続させることができる。
【０１７２】
また、キャラクタ１００Ｃ〜１００Ｈの選択割合を高めさせる条件として条件成立フラグ８０１のうちの特図Ａフラグ、突確フラグ、或いはレアリーチフラグがセットされていることが定められているが、特図Ａフラグは、特別図柄表示器１０ｂで特別図柄の変動表示が行われる場合が多い確率変動状態において特別図柄表示器１０ａでの変動表示で大当たりが発生することがセットされ、突確フラグは、突然確変大当たりが発生することがセットされ、レアリーチフラグは、飾り図柄の変動パターンがレアリーチハズレとなったときにセットされる。
【０１７３】
突然確変大当たりは、第２大当たり遊技状態に制御した後に確率変動状態に制御する大当たりであり、確率変動状態に制御されていないときの発生なら遊技者にとって好ましいものとなるものの、確率変動状態に制御されているときの発生では確率変動状態が継続することの意味しかなく、ハズレの場合と大差ない。変動パターンがレアリーチとなった場合は、確率変動大当たり、確変昇格大当たりまたは時短大当たりとなる確率が高いのに、これでハズレとなると却って遊技者の落胆も大きくさせてしまう。
【０１７４】
このように遊技者にとってほとんど何の意味もない確率変動状態での突然確変大当たりの発生や、遊技者を落胆させかねないレアリーチハズレの発生は、それぞれ突確フラグ、レアリーチフラグをセットさせることによって、ラウンド演出においてキャラクタ１００Ｃ〜１００Ｈの選択割合を高めさせるものとなり、結果的にスペシャルエンディング画面を表示させやすくすることができる。これにより、確率変動状態での突然確変大当たりの発生や飾り図柄の変動表示におけるレアリーチハズレの発生で遊技者を落胆させてしまうのを防ぐことができる。
【０１７５】
また、確率変動状態における特別図柄表示器１０ａでの大当たりの発生や、レアリーチハズレの発生は、それ自体の発生頻度が非常に低いものであるが、それぞれ特図Ａフラグ、レアリーチフラグをセットさせることによって、ラウンド演出においてキャラクタ１００Ｃ〜１００Ｈの選択割合を高めさせるものとなり、結果的にスペシャルエンディング画面を表示させやすくすることができる。これにより、本来的に発生頻度が低い、これら事象の発生に対する遊技者の関心をいっそう高めさせることができ、遊技の興趣を向上させることができる。
【０１７６】
また、表示制御基板８０の表示制御用ＣＰＵがラウンド演出におけるキャラクタ１００Ａ〜１００Ｈを選択する場合において、キャラクタ１００Ｃ〜１００Ｈを一旦選択した場合に対応するラウンド演出実行済フラグ８００がセットされている場合には、フラグがセットされていない次順番の種類のキャラクタの選択に切り替えられる。これにより、キャラクタ１００Ｃ〜１００Ｈが選択されたのに、スペシャルエンディング画面の表示には何の意味もない選択となるということがなくなるので、ラウンド演出においてキャラクタ１００Ｃ〜１００Ｈが選択されることに対する遊技者の期待にいっそう応えることができるものとなる。
【０１７７】
本発明は、上記の実施の形態に限られず、種々の変形、応用が可能である。以下、本発明に適用可能な上記の実施の形態の変形態様について説明する。
【０１７８】
上記の実施の形態では、確率変動大当たりまたは突然確変大当たりの発生に基づいて確率変動状態に制御された場合、当該確率変動状態は、次に大当たりが発生するまで無制限で継続されるものとなっていた（但し、次の大当たりが確率変動大当たりまたは突然確変大当たりであれば、改めて確率変動状態に制御される）。もっとも、確率変動状態において実行される特別図柄の変動表示の回数を無制限とせずに、一定回数までとするものとしてもよい。
【０１７９】
１回の確率変動状態において実行される特別図柄の変動表示の最大回数は、確率変動状態における大当たり確率の逆数よりも大きい回数（例えば、１００回）とすることもできる。或いは、保留記憶の数程度（例えば、始動入賞口１４ｂについての保留記憶数である４、或いは始動入賞口１４ａ、１４ｂについての保留記憶数の合計である８）とすることもできる。確率変動状態において実行される特別図柄の変動表示の回数を一定回数に限る場合、時短状態に制御する回数も、これに合わせることができる。
【０１８０】
上記の実施の形態では、大当たり遊技状態として、確率変動大当たりまたは時短大当たりの発生に基づいて大入賞口２１が３０秒１５ラウンドで開放状態となる第１大当たり遊技状態と、突然確変大当たりまたは突然通常大当たりの発生に基づいて０．５秒２ラウンドで開放状態となる第２大当たり遊技状態とがあった。このような第１大当たり遊技状態と第２大当たり遊技状態に代えて、大入賞口２１が開放されるラウンド数が互いに同じ（例えば、８ラウンド）であるが、１ラウンド当たりの大入賞口２１の開放時間をそれぞれ３０秒、０．５秒とした長期大当たり遊技状態と短期大当たり遊技状態とを設けるものとしてもよい（１ラウンド当たりの大入賞口２１の開放時間と大入賞口２１が開放されるラウンド数は、あくまで一例）。
【０１８１】
そして、上記の実施の形態における第１大当たり遊技状態を長期大当たり遊技状態に置き換え、第２大当たり遊技状態を短期大当たり遊技状態に置き換えるものとすることができる。このように、長期大当たり遊技状態と短期大当たり遊技状態とでは、１ラウンド当たりでの大入賞口２１の開放時間が互いに異なるものの、大入賞口２１が開放状態となるラウンド数が異なることはない。このため、大当たり遊技状態のラウンド数を報知するラウンド数表示器１９をパチンコ遊技機１に設けないでも済むようになる。
【０１８２】
上記の実施の形態では、大当たり演出のエンディング演出を選択するに当たって、ラウンド演出で選択し得るキャラクタ１００Ａ〜１００Ｈのうちのキャラクタ１００Ｃ〜１００Ｈの全てに対応したラウンド演出実行済フラグがセットされていることを条件として、スペシャルエンディング画面を選択し得るものとしていた。これに対して、キャラクタ１００Ａ〜１００Ｈの全てに対応したラウンド演出実行済フラグがセットされていることを条件として、スペシャルエンディング画面を選択し得るものとしてもよい。
【０１８３】
或いは、条件成立フラグの何れもセットされていないときには選択割合が低いキャラクタ１００Ｃ〜１００Ｈのうちの一部で予め定められた組合せ（例えば、キャラクタ１００Ｃ、１００Ｅ、１００Ｇ、１００Ｈなど）が揃っていることを条件として、スペシャルエンディング画面を選択し得るものとしたり、条件成立フラグの何れもセットされていないときには選択割合が低いキャラクタ１００Ｃ〜１００Ｈのうちの同じものが所定回数以上選択されたこと（この場合は、キャラクタ１００Ｃ〜１００Ｈの選択の切り替えはないものとする）を条件として、スペシャルエンディング画面を選択し得るものとしてもよい。
【０１８４】
上記の実施の形態では、何れも確率変動大当たり、確変昇格大当たりまたは突然確変大当たりが発生した（確率変動状態に制御されることが確定した）後、確率変動状態に制御されている限りにおいて実行された大当たり演出におけるラウンド演出で選択されたキャラクタの種類の組合せに応じて、大当たり演出のエンディング演出としてスペシャルエンディング画面を選択し得るものとしていた。
【０１８５】
何れも確率変動大当たり、確変昇格大当たりまたは突然確変大当たりが発生した（確率変動状態に制御されることが確定した）後、確率変動状態に制御されている限りにおいて実行された飾り図柄の変動表示において選択された変動パターンに応じて、大当たり演出のエンディング演出としてスペシャルエンディング画面を選択し得るものとしてもよい。また、このような間の飾り図柄の変動表示において停止図柄として選択された飾り図柄の種類に応じて、大当たり演出のエンディング演出としてスペシャルエンディング画面を選択し得るものとしてもよい。
【０１８６】
例えば、このような間に何度も行われた飾り図柄の変動表示において、複数種類ある変動パターンのうちから予め定められた組合せの変動パターン（ハズレのものだけとしても、ハズレ・当たりの双方としてもよい）の全てで変動表示が実行されていた場合に、大当たり演出のエンディング演出としてスペシャルエンディング画面を選択し得るものとしてもよい。或いは、このような間に何度も行われた飾り図柄の変動表示において、特定の組合せ（１種類だけでも複数種類でも可）の停止図柄が生じた（１回だけとしても複数回としても可）場合に、大当たり演出のエンディング演出としてスペシャルエンディング画面を選択し得るものとしてもよい。
【０１８７】
上記の実施の形態では、大当たり抽選及び大当たり種別抽選の結果に関わらず、変動パターンとして疑似連を選択することはなかった。これに対して、変動パターンとして一定の割合で疑似連を選択できるようにしてもよい。ここで、疑似連とは、特別図柄の変動表示に応じて可変表示装置９で飾り図柄が変動表示されるが、１回分の特別図柄の変動表示（すなわち、１回の始動入賞）に対して、飾り図柄表示領域９ａ〜９ｃの全てにおいて飾り図柄の変動表示を仮停止（図柄の更新を停止しているが確定はしていない状態であって、揺り動かすなどの状態としていてもよい）させた後に、全ての飾り図柄を再度変動表示させる再変動表示を１回または複数回実行する飾り図柄の変動パターンを指す。
【０１８８】
疑似連は、再変動表示の回数が少ないほど出現頻度は高いが、再変動表示の回数が多くなるほど確率変動大当たり、確変昇格大当たりまたは時短大当たりとなる割合が高い変動パターンであり、特定回数（ここでは、４回とする）の再変動表示が行われた場合には確率変動大当たり、確変昇格大当たりまたは時短大当たりとなることが確定する変動パターンとすることができる。疑似連３回は、全体としての出現頻度も低く、出現した場合には確率変動大当たり、確変昇格大当たりまたは時短大当たりとなる確率が比較的高いにも関わらず、ハズレとも成り得る変動パターンであるという点で、上記の実施の形態におけるレアリーチハズレと同じ性質を有するものとなる。
【０１８９】
そこで、条件成立フラグ８０１には、疑似連３回でハズレとなった場合にセットされる疑似連３回フラグも設けるものとし、表示制御基板８０の表示制御用ＣＰＵは、ラウンド演出におけるキャラクタを選択するに当たって、疑似連３回フラグがセットされているときには、レアリーチフラグがセットされている場合と同様にキャラクタ１００Ｃ〜１００Ｈを高い選択割合で選択することができる。これにより、上記の実施の形態におけるレアリーチハズレの場合と同様の効果を得ることができる。
【０１９０】
上記の実施の形態では、特別図柄表示器１０ａ、１０ｂで特別図柄の変動表示が行われているときの演出は、可変表示装置９における飾り図柄の変動表示の変動パターンの違いによってなされるものとしていた。この変動パターンは、主基板３１のＣＰＵ５６が決定するのに対して、表示制御基板８０の表示制御用ＣＰＵが受信した開始時コマンドに従って独自に決定を行う演出を実行させることもできる。例えば、飾り図柄の変動表示においてリーチとなることを予告するリーチ予告などがある。
【０１９１】
リーチ予告は、複数種類の実行態様のものを含むが、リーチとならないときの選択割合とリーチとなるときの選択割合は、各々の実行態様毎に異なっている。つまり、比較的高い頻度で出現するがリーチとなる割合は低い実行態様のリーチ予告と、出現頻度は比較的低いがリーチとなる割合は非常に高い実行態様のリーチ予告と、出現頻度自体は低いが出現すればリーチとなることが確定する実行態様のリーチ予告とを実現することができる。ここで、出現頻度は比較的低いがリーチとなる割合は非常に高い実行態様のリーチ予告が実行されてリーチとならない場合は、上記の実施の形態におけるレアリーチハズレと同じ性質を有するものとなる。
【０１９２】
そこで、条件成立フラグ８０１には、出現頻度は比較的低いがリーチとなる割合は非常に高い実行態様のリーチ予告が実行されてリーチとならない場合にセットされるレア予告フラグも設けるものとし、表示制御基板８０の表示制御用ＣＰＵは、ラウンド演出におけるキャラクタを選択するに当たって、レア予告フラグがセットされているときには、レアリーチフラグがセットされている場合と同様にキャラクタ１００Ｃ〜１００Ｈを高い選択割合で選択することができる。これにより、上記の実施の形態におけるレアリーチハズレの場合と同様の効果を得ることができる。
【０１９３】
上記の実施の形態では、大当たりの種類として確率変動大当たり、確変昇格大当たり、突然確変大当たり、及び時短大当たりがあり、前三者では、何れも確率変動大当たりに制御されたことが遊技者に分かるものとなっていた。これに対して、大当たりの種類として確変昇格大当たりに代えて、飾り図柄を「１」または「７」以外の図柄で揃えて停止させるとともに、大当たり演出においても確率変動状態に制御されるか否かを報知しない確変潜伏大当たりを設けるものとしてもよい。確変潜伏大当たりでも時短大当たりでも遊技者の見た目上は変わらないので、その何れかが発生した場合に、確率変動状態に制御されているか否かが分からない確変潜伏状態となる。
【０１９４】
実際には確率変動状態に制御されているのに確率潜伏状態となってしまう確変潜伏大当たりは、確率変動状態に制御されていることが確実に分かる確率変動大当たりに比べれば、遊技者にとって好ましい大当たりではない。つまり、確率変動状態に制御されていることが分かれば遊技を続けるべきという判断を、確率変動状態に制御されていなければ遊技を止めるべきという判断を遊技者が行い得るのに対して、遊技を続けるべきか止めるべきかの判断が困難になるからである。
【０１９５】
そこで、条件成立フラグ８０１には、確変潜伏大当たりが発生した場合にセットされる確変潜伏フラグも設けるものとし、表示制御基板８０の表示制御用ＣＰＵは、ラウンド演出におけるキャラクタを選択するに当たって、確変潜伏フラグがセットされているときには、突確フラグがセットされている場合と同様にキャラクタ１００Ｃ〜１００Ｈを高い選択割合で選択することができる。これにより、上記の実施の形態における突確フラグの場合と同様の効果を得ることができる。
【０１９６】
なお、確変潜伏状態には、特別図柄表示器１０ａ、１０ｂに特定表示結果以外の表示結果を表示した後に、第２大当たり遊技状態と同様の制御が行われる小当たり遊技状態に制御し、小当たり遊技状態の終了後は小当たり遊技状態に制御される前に制御されていたのと同じ遊技状態に（確率変動状態に制御されていたのであれば確率変動状態に、通常遊技状態に制御されていたのであれば通常遊技状態に）制御させる小当たりと、突然通常大当たり（確率変動状態に制御されないこと以外は突然確変大当たりと同じ）と上記の突然確変大当たりとで確変潜伏状態とすることもできる。
【０１９７】
この場合、条件成立フラグ８０１には、突然確変大当たりまたは小当たりが発生した場合にセットされる確変潜伏フラグも設けるものとし、表示制御基板８０の表示制御用ＣＰＵは、ラウンド演出におけるキャラクタを選択するに当たって、確変潜伏フラグがセットされているときには、突確フラグがセットされている場合と同様にキャラクタ１００Ｃ〜１００Ｈを高い選択割合で選択することができる。
【０１９８】
上記の実施の形態では、大当たりの種類として確率変動大当たり、確変昇格大当たり、突然確変大当たり、及び時短大当たりがあり、前三者では確率変動状態に制御されることで、次の大当たりが比較的早い時期に発生するものとなっていた。もっとも、確率変動状態に制御されたからといって次の大当たりが確約されている訳ではなく、確率変動状態に制御されているのに何回（例えば、１００回）もの変動表示を経ても新たな大当たりが発生しないハマリが生じる場合もある。このハマリは、遊技者にとって好ましくない事象であり、また、その発生頻度も低い事象である。
【０１９９】
そこで、条件成立フラグ８０１には、ハマリが生じた場合にセットされるハマリフラグも設けるものとし、表示制御基板８０の表示制御用ＣＰＵは、ラウンド演出におけるキャラクタを選択するに当たって、ハマリフラグがセットされているときには、特図Ａフラグや突確フラグやレアリーチフラグがセットされている場合と同様にキャラクタ１００Ｃ〜１００Ｈを高い選択割合で選択することができる。これにより、上記の実施の形態における特図Ａフラグや突確フラグやレアリーチフラグの場合と同様の効果を得ることができる。
【０２００】
上記の実施の形態では、条件成立フラグ８０１には、レアリーチハズレの場合にセットされるレアリーチフラグが含まれており、これがセットされている場合には、ラウンド演出におけるキャラクタ１００Ｃ〜１００Ｈの選択割合が高くなるものとしていた。これに対して、例えば、複数種類の変動パターンのうちの変動パターンＸが選択されたときにセットされるＸフラグと、変動パターンＹが選択されたときにセットされるＹフラグとを条件成立フラグ８０１に設け、ＸフラグとＹフラグが両方ともセットされていることを条件に、ラウンド演出におけるキャラクタ１００Ｃ〜１００Ｈの選択割合を高くするものとしてもよい（ＸフラグとＹフラグの一方のみがセットされているだけでは、キャラクタ１００Ｃ〜１００Ｈの選択割合は高くならない）。
【０２０１】
この場合、変動パターンＸと変動パターンＹの選択割合が上記の実施の形態におけるレアリーチほど低いものでなかったとしても、変動パターンＸと変動パターンＹの両方が選択されることになる割合は、レアリーチと同等かそれ以上に低いものと成り得る。これにより、上記の実施の形態におけるレアリーチフラグの場合と同様の効果を得ることができる。
【０２０２】
上記の実施の形態では、確率変動状態においては可変入賞装置１５が開放状態とされている場合が非常に多く、始動入賞口１４ｂの保留記憶が途切れることがあまりないために特別図柄表示器１０ｂで特別図柄の変動表示が行われることが多くなるので、特別図柄表示器１０ａで特別図柄の変動表示が行われ、しかもその結果が大当たりとなることが極めて少ないことから、特別図柄表示器１０ａでの特図ゲームで確率変動大当たり、確変昇格大当たりまたは突然確変大当たりが発生したときに特図Ａフラグをセットし、フラグがセットされているときには、突確フラグがセットされている場合と同様にキャラクタ１００Ｃ〜１００Ｈを高い選択割合で選択するものとしていた。
【０２０３】
ところで、第１大当たり遊技状態に制御されている間にも始動入賞口１４ａ、１４ｂに遊技球が入賞し得るものとなり、第１大当たり遊技状態の終了時点では、通常、始動入賞口１４ａ、１４ｂの保留記憶が満杯になっている。そして、頻度そのものは決して高いものではないが、第１大当たり遊技状態の終了時点の保留記憶に新たな大当たりを発生させるもの、即ち第１大当たり遊技状態の終了から極めて短い期間の間に新たな大当たりを発生させるものが存在している、いわゆる保留連チャンが生じる場合がある。
【０２０４】
そこで、条件成立フラグ８０１には、保留連チャンが生じた場合にセットされる保留連チャンフラグも設けるものとし、表示制御基板８０の表示制御用ＣＰＵは、ラウンド演出におけるキャラクタを選択するに当たって、保留連チャンフラグがセットされているときには、特図Ａフラグがセットされている場合と同様にキャラクタ１００Ｃ〜１００Ｈを高い選択割合で選択することができる。これにより、上記の実施の形態における特図Ａフラグの場合と同様の効果を得ることができる。
【０２０５】
上記の実施の形態では、キャラクタ１００Ｃ〜１００Ｈに対応したラウンド演出実行済フラグ８００の全てがセットされていることを実行されるスペシャルエンディングは、ノーマルエンディングとは可変表示装置９に表示される画面が異なるものとしていた。もっとも、画面は同じであるが、ノーマルエンディングとスペシャルエンディングとで出力される音声が異なるものとしたり、役物の動きが違うものとしてもよい。基本的な画面の構成は同じであるが、スペシャルエンディング画面では、ノーマルエンディング画面には登場しない特別なキャラクタが登場し得るものとしてもよい。或いは、これらの違いを任意に組み合わせて、ノーマルエンディングとスペシャルエンディングを区別するものとしてもよい。
【０２０６】
上記の実施の形態では、大当たり遊技状態→確率変動状態→大当たり遊技状態→…という連チャンが生じている場合に、本発明を適用した場合を例として説明した。しかしながら、本発明は、第１大当たり遊技状態に制御されている間に実行される大当たり演出において完結するように実行される場合にも適用することができる。この場合の第１大当たり遊技状態は、時短大当たりに基づくものであってもよい。大当たり演出は、大入賞口２１を開放状態としているラウンド毎に実行されるラウンド演出と、全てのラウンドを終了した後に新たな変動表示が開始されるまでに実行されるエンディング演出とから成り立っている。
【０２０７】
この場合において、ラウンド演出実行済フラグ８００は、第１大当たり遊技状態が終了した時点で全てリセットされるものとしてもよい。一方、条件成立フラグ８０１は、第１大当たり遊技状態が終了した時点で全てリセットされるが、確率変動状態に制御されていなくても該当する条件が成立したならば、セットされるものとしてもよい。つまり、前回の大当たりから今回の大当たりまでの間にレアリーチハズレが生じていた場合には、条件成立フラグ８０１のうちのレアリーチフラグがセットされていることとなるので、ラウンド演出においてキャラクタ１００Ｃ〜１００Ｈが高い割合で選択されることとなる。
【０２０８】
また、突然確変大当たりが発生して確率変動状態に制御され、この状態で新たな大当たり（突然確変大当たり以外）が発生したものとする。この場合には、当該新たな大当たりに基づく大当たり演出を行う場合において、条件成立フラグ８０１のうちの突確フラグがセットされていることとなるので、ラウンド演出においてキャラクタ１００Ｃ〜１００Ｈが高い割合で選択されることとなる。
【０２０９】
このように第１大当たり遊技状態に制御されている間に実行される大当たり演出において完結するように本発明を適用した場合、第１大当たり遊技状態が終了すると、ラウンド演出実行済フラグ８００をリセットすることとなる。これにより、各ラウンド演出でキャラクタ１００Ｃ〜１００Ｈの全てが登場したかを判断する単位を１回の第１大当たり遊技状態とすることができ、各回の第１大当たり遊技状態毎に実行される大当たり演出に遊技者の関心を向けさせることができる。
【０２１０】
また、表示制御基板８０の表示制御用ＣＰＵは、各回の第１大当たり遊技状態の終了でラウンド演出実行済フラグ８００及び条件成立フラグ８０１をリセットすればよく、第１大当たり遊技状態に制御されていない間に確率変動状態に制御されているか否かを判断する必要はない。
【０２１１】
上記の実施の形態では、本発明をパチンコ遊技機に適用した場合を例として説明した。もっとも、ビッグボーナス、レギュラーボーナスやチャレンジボーナス（以下、これらをまとめてボーナスという）、或いはＡＴ（Assist Time）やＲＴ（Replay Time）などの遊技者にとって遊技状態を連チャンさせることができるスロットマシンにも、本発明を適用することができる。
【０２１２】
例えば、ボーナスが終了した後に通常遊技状態に制御され、通常遊技状態で所定の有利表示結果（特定小役、特定リプレイ、或いはその取りこぼし目）が表示されると一定のゲーム数有利ＲＴ（通常遊技状態よりもリプレイ当選確率が高く、多くの場合は遊技者のメダルを増加させる）に制御され、所定の不利表示結果が表示されると一定のゲーム数不利ＲＴ（有利ＲＴよりリプレイ当選確率が低い）に制御され、有利ＲＴと不利ＲＴとの間で直接遊技状態が移行することはないものがある。
【０２１３】
通常遊技状態において有利表示結果や不利表示結果を導出させる役に当選したときに、その当選を報知するＡＴに制御することとＡＴに制御しないこととがあるものとすると、ＡＴに制御された場合にはノーミスを前提とすると、ボーナス→（極めて短期間の通常遊技状態）→有利ＲＴ→ボーナス→…というように、遊技者に有利な状態が連チャンすることとなる。この場合を、上記の実施の形態における大当たり遊技状態→確率変動状態→大当たり遊技状態→…という連チャンと同様に適用することができる。
【０２１４】
なお、このスロットマシンにおいて、終了条件となる払い出しメダル枚数が異なる複数種類の遊技状態があれば、そのうちで最も枚数が少ないボーナスを上記の実施の形態における突然確変大当たりに代えて適用することができる。また、不利ＲＴに制御されてしまったことを、上記の実施の形態における通常遊技状態に制御されてしまったことに代えて適用することができる。また、極めて当選確率が低いレア小役またはレアリプレイの当選（入賞）を、上記の実施の形態における出現頻度の低い変動パターンに代えて適用することができる。
【符号の説明】
【０２１５】
１  パチンコ遊技機
９  可変表示装置
１０ａ、１０ｂ  特別図柄表示器
３１  主基板
５４  ＲＯＭ
５５  ＲＡＭ
５６  ＣＰＵ
８０  表示制御基板
【図１】
0005753376.tif 000002
【図２】
0005753376.tif 000003
【図３】
0005753376.tif 000004
【図４】
0005753376.tif 000005
【図５】
0005753376.tif 000006
【図６】
0005753376.tif 000007
【図７】
0005753376.tif 000008
【図８】
0005753376.tif 000009
【図９】
0005753376.tif 000010
【図１０】
0005753376.tif 000011
【図１１】
0005753376.tif 000012